(57)【特許請求の範囲】
【請求項１】
垂直移動可能なウェイトリフトと、
垂直に整列されたチャネルをそれぞれ含む、複数のウェイトと、
開口を有し、１個またはそれ以上の前記ウェイトを前記ウェイトリフトに選択的に連結するように回転可能であり、前記ウェイトの前記チャネル内を前記ウェイトの積み重なる方向に移動可能である、少なくとも１個のセレクタと、
前記ウェイトリフトに連結され、前記セレクタを第１軸に沿ってスライド可能に支持し、前記第１軸に沿う方向に交互に配置されたセグメントおよびスペーサを複数有する、ステムと、
を具え、
前記セレクタは、該セレクタが前記第１軸に沿ってスライド可能である第１角度位置と、該セレクタが前記第１軸に沿って移動できないように前記ステムに対して保持される第２角度位置との間で、前記ステムの前記第１軸の周りを回転可能であり、
前記セグメントは、それぞれ、前記セレクタが前記第１角度位置にあるときに該セグメントが前記セレクタの前記開口内を前記第１軸に沿って通過可能であるとともに、前記セレクタが前記第２角度位置にあるときに該セグメントが前記セレクタの前記開口内を前記第１軸に沿って通過できないような、水平断面形状を有する、ウェイトシステム。
【請求項２】
前記セレクタは、前記セグメント及びスペーサを完全に取り囲む管状部分を含むことを特徴とする、請求項１のウェイトシステム。
【請求項３】
互いに隣接する前記ウェイトは突合せ状態にある下面および上面を形成し、前記下面は前記セレクタの一部を受容するよう構成された空隙を規定することを特徴とする、請求項１に記載のウェイトシステム。
【請求項４】
前記セレクタは第１凸部および第２凸部を含み、
前記第１凸部および第２凸部は、前記セレクタが前記第２角度位置にあるときに、互いに反対側にある空隙中に延在することを特徴とする、請求項１に記載のウェイトシステム。
【請求項５】
互いに隣接する前記ウェイトは、水平方向に延びる空隙により少なくとも部分的に互いから分離されている、請求項１に記載のウェイトシステム。
【請求項６】
前記複数のウェイトは、下面を有する上部ウェイトと、前記下面に向かい合う上面を有する下部ウェイトとを含み、
前記下部ウェイトの上面と前記上部ウェイとの下面とが、その一部分で、空隙により互いから分離されている、請求項１に記載のウェイトシステム。
【請求項７】
前記ウェイトを貫通して延在するガイドロッドと、
前記各ウェイトの間にあるブッシングと、
をさらに具え、
前記各ブッシングは前記ロッドに沿う前記ウェイトの移動をスライド可能にガイドし、連続ウェイトから前記ウェイトの１個を離間させて空隙の一つを形成することを特徴とする、請求項１に記載のウェイトシステム。
【請求項８】
前記ウェイトの少なくとも２個にわたって垂直に延在する第１追加ウェイトと、
前記ウェイトリフトに前記第１追加ウェイトを選択的に連結するよう構成された第２セレクタと、
をさらに具える、請求項１に記載のウェイトシステム。
【請求項９】
前記第２セレクタは前記第１追加ウェイトが前記ウェイトリフトに連結される第１位置と第２分離位置との間を回転することを特徴とする、請求項８に記載のウェイトシステム。
【請求項１０】
前記第１追加ウェイトは前記ウェイトを貫通して延在するロッドを具えることを特徴とする、請求項８に記載のウェイトシステム。
【請求項１１】
少なくとも２個の前記ウェイトにわたって垂直に延在する第２追加ウェイトをさらに具え、
前記第２セレクタは、前記ウェイトリフトに前記第２追加ウェイトを選択的に連結するよう構成されている、請求項８に記載のウェイトシステム。
【請求項１２】
前記セレクタに連結され、弾性的に付勢された凸部を、さらに具え、
前記凸部は、前記セレクタが前記ウェイトの積み重なる方向に沿ってスライドされると、空隙中および空隙外へ弾性的に突出するよう構成されている、請求項１に記載のウェイトシステム。
【請求項１３】
前記ウェイトリフトに連結され、前記セレクタをスライド可能に支持し、複数の軸空間を含むロッドと、
前記セレクタに連結され、弾性的に付勢された凸部と、
をさらに具え、
前記凸部は、前記セレクタが前記ウェイトの積み重なる方向に沿ってスライドされると、空間中または空間外へ弾性的に突出するよう構成されている、請求項１に記載のウェイトシステム。
【請求項１４】
前記セレクタは、前記セレクタが空隙の間を移動すると可聴音を生成するよう構成されていることを特徴とする、請求項１に記載のウェイトシステム。
【請求項１５】
前記スペーサの各々は、互いに同軸に前記第１軸に沿って延び、円形の水平断面形状を有し、前記第１軸周りの前記少なくとも１個のセレクタの回転を案内することを特徴とする、請求項１に記載のウェイトシステム。
【請求項１６】
前記セレクタの前記開口は、非円形の水平断面形状を有し、
前記セグメントの各々は、前記セレクタの前記開口の水平断面形状と同じ非円形の水平断面形状を有し、
前記セレクタが前記第１角度位置にあるとき、前記セレクタの前記開口の前記非円形の水平断面形状が、前記セグメントの前記非円形の水平断面形状と整列されることを特徴とする、請求項１に記載のウェイトシステム。
【請求項１７】
前記ステムは、前記セグメントの外周面と前記スペーサの外周面との間で段差を形成していることを特徴とする、請求項１に記載とウェイトシステム。
【請求項１８】
前記スペーサは、前記第１軸から半径方向外側に第１距離だけ離れた半径方向位置まで延びており、
前記セグメントは、前記第１軸から半径方向外側に前記第１距離よりも長い第２距離だけ離れた半径方向位置まで延びていることを特徴とする、請求項１に記載のウェイトシステム。
【発明の詳細な説明】
【技術分野】
【０００１】
本出願は、同日にＲｏｎａｌｄ  Ｓ．Ｇｉｂｓｏｎ，Ｂｌａｋｅｌｙ  Ｔ．ＰｅｎｎｉｎｇｔｏｎおよびＤａｖｉｄ  Ｌ．Ａｌｂｅｒｔにより出願され、「追加ウェイトおよびセレクタ（Ｉｎｃｒｅｍｅｎｔａｌ  Ｗｅｉｇｈｔ  Ａｎｄ  Ｓｅｌｅｃｔｏｒ）」と題された、同時係属中の米国特許出願（Ａｔｔｙ．Ｄｋｔ．第Ｐ２３０１３Ａ）に関連し、この全開示は参照により援用される。また本出願は、同日にＲｏｎａｌｄ  Ｇｉｂｓｏｎ，Ｂｌａｋｅｌｙ  Ｔ．ＰｅｎｎｉｎｇｔｏｎおよびＤａｖｉｄ  Ｌ．Ａｌｂｅｒｔにより出願され、「ウェイトスタックセレクタ（Ｗｅｉｇｈｔ  Ｓｔａｃｋ  Ｓｅｌｅｃｔｏｒ）」と題された、同時係属中の米国特許出願（Ａｔｔｙ．Ｄｋｔ．第Ｐ２３０１３Ｂ）に関連し、この全開示は参照により援用される。
【背景技術】
【０００２】
ウェイトのスタックはエクササイズ装置および他の試験用または較正用装置において用いられ、これにより、上昇、落下または適用されるべき異なるウェイトの総量を選択することが可能となる。エクササイズ装置において、ウェイトの選択は時に脱着式ピンを用いて行われる。このようなピンは紛失、設置ミスまたは盗難の可能性がある。ピンの使用は時に難しく、退屈で且つ多くの時間を要する。さらに、ピン併用使用のためのウェイト製造は費用がかさむことがある。
【発明を実施するための最良の形態】
【０００３】
図１は一例示的実施形態に従うエクササイズ装置２０を概略的に示す。エクササイズ装置２０は、ウェイトシステム２２、ケーブルシステム２４およびエクササイズインターフェイス２６を含む。ウェイトシステム２２は、人にエクササイズにおいて使用され、且つ最終的に上昇されるウェイトの総量を人が選択することができるシステムを具える。ウェイトシステム２２は一般的に、メインウェイト３０、メインウェイト選択システム３４、ウェイトリフト３５、追加ウェイト３６および追加ウェイト選択システム３８を含む。
【０００４】
ウェイト３０は、エクササイズにおいて上昇され且つ機械的抵抗を提供するよう構成された所定のウェイト量を有する構造を具える。図示した特定の実施例において、ウェイト３０はそれぞれ一またはそれ以上の金属の中実または中空の板を具える。他の実施形態において、ウェイト３０は他の材料、または砂、水もしくは他の材料等を封入した材料を具えることができる。ウェイト３０は互いに積層されており、これにより特定のウェイト３０が上昇されると、特定ウェイト３０の上に積層されたウェイト３０も同様に上昇される。
【０００５】
図１に概略的に図示したとおり、ウェイト３０はそれぞれ後方に水平に延びるフロントノッチまたはフロントカットアウトを有する。互いに積み重ねた際に、ウェイト３０のそれぞれの内部に向かって延在する細長の連続したチャネル６７を形成する。積み重ねた際に、ウェイトは連続ウェイト３０の間に多数の空洞または空隙７０をさらに画定する。空隙７０はそれぞれ下にあるウェイト３０により画定された底面および上にあるウェイト３０により画定された天面を有する。一実施形態において、空隙７０はウェイト３０の間に位置する中間スペーサ（図示せず）により形成される。他の実施形態において、このような空隙７０は、連続ウェイト３０の対向する面の一方または双方に直接形成された空洞、凹部、窪み等により形成される。チャネル６７および空隙７０は媒体ウェイト選択システム３４による一またはそれ以上のウェイト３０の選択を容易にする。
【０００６】
メインウェイト選択システム３４は、エクササイズの間に持ち上げる一またはそれ以上のウェイト３０を選択できるよう構成された機構を具える。メインウェイト選択システム３４は、ウェイト３０に沿って、および部分的にチャネル６７内を、矢印３９により示された方向に向かって、所望の最下ウェイト３０の向かいまたは直下の位置まで直線的に上下に移動し、上にあるウェイト３０すべてと一緒に持ち上げられるよう構成されたセレクタ８２を含む。セレクタ８２は、選択された最下ウェイトの下にある空隙７０の少なくとも一つの内部にセレクタ８２が挿入されるか、または突き出て、最下ウェイトをウェイトリフト３５と連結する第１位置と、セレクタ８２が任意の空隙７０から引抜かれ、チャネル６７に沿って且つその内部で移動可能となる第２位置との間を移動するよう構成されている。
【０００７】
本開示の目的のため、用語「ｃｏｕｐｌｅｄ（連結した）」は、２個の部材の互いの直接的または間接的な結合を意味するものとする。このような結合は事実上静止または事実上移動可能であってよい。このような結合は、２個の部材または２個の部材と任意のさらなる中間部材を互いに単独の単一母体として一体的に形成するか、あるいは互いに適合した２個の部材または２個の部材とさらなる中間部材により達成されることができる。このような結合は事実上恒久であるか、あるいは代替的に、事実上除去可能または事実上解除可能であってもよい。用語「ｏｐｅｒａｂｌｙ  ｃｏｕｐｌｅｄ（動作可能に連結した）」は、２個の部材が直接的または間接的に結合しており、動作は一の部材から他の部材へと直接的にまたは中間部材を介して伝達されることを意味するものとする。
【０００８】
概して、メインウェイト選択システム３４はチャネル６７内を移動し、ウェイト３０により画定された空隙７０の中に向かってあるいは外に向かって移動することにより選択的にこのようなウェイトを係合するため、ウェイト３０の選択がより容易となりウェイトシステムの費用は低減される。メインウェイト選択システム３４は所望の空隙７０に対して挿入される位置と引抜かれる位置との間を移動可能なセレクタ８２を使用するため、ウェイトシステム２２はウェイト中の交差穿孔中へのピンの挿入を用いない。結果として、特定のウェイトの選択が容易となる。さらに、ウェイト３０は交差穿孔を省略ことができるため、生産工程数を低減し且つ製造費用を削減することができる。さらに、ウェイト３０はこのような交差穿孔を省略することができるため、ウェイト３０は構造的により耐久性を増す。結果として、ウェイト３０を、このような複数の加工工程に耐える必要のない、代替的且つより安価な材料から形成することができる。
【０００９】
ウェイトリフト３５はケーブルシステム２４に連結しているメインウェイト選択システム３４に連結した構造を具える。一実施形態において、ウェイトリフト３５はそれ自身ケーブルを具えることができる。本開示の目的のため、用語「ｃａｂｌｅ（ケーブル）」は、任意の可撓性部材を網羅するものとし、ケーブル、ベルト、ロープ、チェーン、バンド、ストラップ、旋回可能に接続しているリンケージ等を含むがこれらに限定されるものではない。ウェイトリフト３５は追加ウェイト選択システム３８により追加ウェイト３６に連結していてもよい。
【００１０】
追加ウェイト３６は追加ウェイト選択システム３８によりウェイトリフト３５に選択的に連結するよう構成された規定のウェイト量を有する構造または部材を具える。一実施形態において、追加ウェイト３６は各々が、各メインウェイト３０の規定のウェイト量より少ないウェイト量を有する。例えば、一実施形態において、追加ウェイト３６が５ポンド（２．２７ｋｇ）である一方で、メインウェイト３０の各々は１５ポンド（６．８ｋｇ）であることができる。他の実施形態において、追加ウェイト３６が５ポンドである一方で、メインウェイト３０の各々は１０ポンド（４．５３ｋｇ）であることができる。一実施形態において、追加ウェイト３６は５ポンドの追加ウェイトと２．５ポンド（１．１４ｋｇ）の追加ウェイトを含むことができる。追加ウェイト３６によって、メインウェイト３０により提供されるより大きなウェイト増加分の中間または間で、エクササイズのためのウェイトの総量を選択することが可能となる。
【００１１】
図１に概略的に示したとおり、追加ウェイト３６は複数のウェイト３０にわたって縦方向に延在する。結果として、追加ウェイト３６は、ウェイトシステム２２の全高を増加させない。一実施形態において、追加ウェイト３６は、ウェイト３０の開口を貫通するか、またはウェイト３０のスタックの面に沿ったカットアウト内に収納されるロッドまたはバーを具える。結果として、追加ウェイト３６はウェイトスタックの重心に対してより近く位置する。したがって、スタックの動作を誘導するガイドロッドまたは他の構造との摩擦を発生させ得るスタックの転倒モーメントが低減される。さらに他の実施形態において、追加ウェイト３６はウェイト３０のスタック外部へ延在してもよい。
【００１２】
追加ウェイト選択システム３８はウェイトリフト３５に連結したウェイトの総量から追加ウェイト３６を選択的に追加、または除去するよう構成された機構を具える。一実施形態において、追加ウェイト選択システム３８は選択された補助ウェイト３６の一つが選択的にウェイトリフト３５に連結している種々の位置の間を回転する。例えば、一実施形態において、追加ウェイト選択システム３８は第１追加ウェイトがウェイトリフト３５に連結している第１位置、第２追加ウェイトがウェイトリフト３５に付加的に連結している第２位置および第１追加ウェイトまたは第２追加ウェイトのいずれもウェイトリフト３５に連結していない第３位置へ回転することができる。他の実施形態において、追加ウェイト選択システム３８は他の構成を有することができる。さらに他の実施形態において、追加ウェイト３６および追加ウェイト選択システム３８を省略することができる。
【００１３】
ケーブルシステム２４はウェイトリフト３５（および任意の連結されたウェイト３０、３６）をエクササイズインターフェイス２６に操作可能に連結させるよう構成されたプーリおよびケーブルのシステムを具える。ケーブルシステム２４は、エクササイズインターフェイス２６に応じた任意の種々の異なる寸法、形状および構成を有することができる。他の実施形態において、エクササイズインターフェイス２６は、他の機構によりウェイトシステム２２に操作可能に連結していてもよい。
【００１４】
エクササイズインターフェイス２６はケーブルシステム２４に操作可能に連結した装置または機構具え、これにより一人またはそれ以上の者が一またはそれ以上の構造体に対し力を加えることができ、且つ一またはそれ以上の構造体を移動して、ウェイト３０および／または３６により提供される選択されたウェイト量を吊り上げまたは持ち上げることができる。エクササイズインターフェイス２６はエクササイズを行う特定の筋肉または筋肉群に応じた種々の構成を有することができる。エクササイズインターフェイス２６の例には以下のエクササイズマシンのタイプを含むが限定されるものではない：アブドミナル・アイソレータ、アングルド・シーテッド・カーフ、アブダクタ、シーテッド・レッグ・カール、グルート・アイソレータ、垂直および水平リア・デルト／ペック・フライ、側面レイズ、ショルダー・プレス、垂直ブレス、バック・エクステンション、シーテッド・ロウ、プルダウン、ロングプル、シーテッドディップ、シーテッド・トライセップ・エクステンション、バイセップ・カール、チャンバ・カールおよびベンチ・プレス。エクササイズインターフェイス２６は、マルチステーションエクササイズマシン、モジュラーエクササイズマシン、またはシングルステーションエクササイズマシンの一部として提供されることができる。
【００１５】
ウェイトシステム２２を（図１に関連して図示および説明した）ケーブルシステム２４およびエクササイズインターフェイス２６を付加的に含むエクササイズ装置２０の一部として図示および説明してきたが、他の実施形態において、ウェイトシステム２２をエクササイズ装置以外のデバイスにおいて用いることができる。例えば、一個またはそれ以上のウェイト選択することにより、且つ測定結果または感知または取得、または読み取ることにより、異なるウェイト、負荷または衝撃力を適用することが望ましい試験用または較正用システムにおいて、ウェイトシステム２２を代替的に用いることができる。このような代替的用途において、ウェイトシステム２２は低コスト且つ単純に使用および調整ができるウェイトシステムを提供する。
【００１６】
図２および図３は、エクササイズ装置２０（図１に示す）の他の実施形態であるエクササイズ装置１２０を示す。デバイス２０と同様、デバイス１２０はケーブルシステム２４およびエクササイズインターフェイス２６も含む（これら双方は共にデバイス２０に関連して図示および説明されている）。デバイス２０とは異なり、デバイス１２０はウェイトシステム２２の特定の実施形態であるウェイトシステム１２２を含む。図２はエクササイズ装置１２０およびウェイトシステム１２２の斜視図である。図３はエクササイズ装置１２０およびウェイトシステム１２２の分解斜視図である。以下に説明するとおり、ウェイトシステム１２２は比較的低コストなコンポーネント配置となっており、エクササイズルーチンのための所望のウェイト量を素早く且つ容易に選択することを可能にする。
【００１７】
ウェイトシステム１２２は全体としてベース１２６、アッパーガイド１２７、ガイドロッド１２８、ウェイト１３０、スペーサ１３２（図３に示す）、メインウェイト選択システム１３４、ウェイトリフト１３５、追加ウェイト１３６Ａ、１３６Ｂ（合わせて追加ウェイト１３６と記す）、および追加ウェイト選択システム１３８を含む。ベース１２６はウェイトシステム１２２の基盤および支持体として働くよう構成されたコンポーネント配置を具える。ベース１２６はフット１４２、ライザ１４４、バンパ１４６およびドック１４８を含む。フット１４２はライザ１４４およびドック１４８を支持する。フット１４２は平板として図示されているが、他の実施形態において、フット１４２は他の構成を有することができる。
【００１８】
バンパ１４６はライザ１４４とウェイト１３０との間に位置する弾性的に圧縮可能な部材を具える。図示した例において、追加ワッシャ１５０はライザ１４４とバンパ１４６との間に配置される。バンパ１４６はウェイト１３０が落下または異なる方法で下降する際にウェイト１３０の衝撃を吸収するよう構成される。図示した例示的実施形態において、バンパ１４６はそれぞれゴムのバルクまたは塊から形成されている。他の実施形態において、バンパ１４６は他の弾性的に圧縮可能な材料から形成されているか、または１個またはそれ以上のバネ等の他の弾性的に圧縮可能な部材を含んでいてもよい。さらに他の実施形態において、バンパ１４６またはライザ１４４は省略されていてもよい。
【００１９】
ドック１４８は遠隔的にメインウェイト選択システム１３４と追加ウェイト１３６の一部を受容、支持および誘導するよう構成された１個またはそれ以上の部材を具える。ドック１４８はフット１４２から延在し、メイン穿孔１５４と追加ウェイト穿孔１５６とを含む。メイン穿孔１５４は、ウェイト１３０が持ち上げられていない際に、遠隔的に、且つスライド可能にメインウェイト選択システム１３４の下部を受容するよう構成された開口を具える。以下に詳細に説明するとおり、メイン穿孔１５４はメインウェイト選択システム１３４の一部をウェイト１３０と好適に整列し、これによりウェイト１３０はメインウェイト選択システム１３４により選択的に係合される。同様に、追加ウェイト穿孔１５６は遠隔的に且つスライド可能に追加ウェイト１３６の下端を受容するよう構成された開口部を具える。以下に詳細に説明するとおり、追加ウェイト穿孔１５６は追加ウェイト選択システム１３８に対して追加ウェイト１３６を支持し、これにより追加ウェイト１３６は追加ウェイト選択システム１３８により選択的に係合されることができる。ドック１４８は穿孔１５４と１５６の各々を提供する単独の単一または一体構造として図示されており、他の実施形態において、ドック１４８は代替的にフット１４２から延在する別個の個別の管または構造を具える。
【００２０】
アッパーガイド１２７は、ガイドロッド１２８に沿ったウェイト１３０のガイド運動を助けるよう構成されたベース１２６として、ウェイト１３０のスタックの反対端上に位置する構造体またはコンポーネントの配置を具える。アッパーガイド１２７は天板１５７、追加ウェイト配列ブッシング１５８およびガイドロッドブッシング１５９を含む。天板１５７はウェイト１３０のスタック用のキャップとしての役割を果たす。天板１５７はアッパーガイド１２７の残りのコンポーネントを支持する。図示した特定の実施例において、天板１５７はさらに追加ウェイト選択システム１３８を支持する。他の実施形態において、ガイド１２７は他の位置に設けられているか、省略されていてもよい。
【００２１】
追加ウェイト配列ブッシング１５８は天板１５７中のアパーチャ内に延在し、且つ追加ウェイト１３６の上部を受容する。ガイドロッドブッシング１５９はガイドロッド１２８をスライド可能に受容し、ガイドロッド１２８に沿ったウェイト１３０の動作を誘導する。特定の実施形態において、このようなブッシングは省略されていてもよい。
【００２２】
ガイドロッド１２８はフット１４２からウェイト１３０を貫通して延在する細長構造体を具える。ガイドロッド１２８はさらにライザ１４４およびバンパ１４６を貫通して延在し、且つエクササイズ装置１２０のアッパーフレーム構造（図示せず）へと延在することができる。ガイドロッド１２８はウェイト１３０方向に向かい、且つウェイト１３０が上昇または降下される際にその動作を誘導するよう構成されている。特定の実施形態において、ガイドロッド１２８は他の構成を有するか、省略されていてもよい。
【００２３】
ウェイト１３０はエクササイズ中に持ち上げられ且つ機械的抵抗を提供するよう構成された規定のウェイト量を有する構造を具える。図示した特定の例において、ウェイト１３０はそれぞれ１個以上の金属の固体または中空のプレートを具える。他の実施形態において、ウェイト１３０は他の材料を具えるか、または砂、水または他の材料等を封入した材料を具えることができる。ウェイト１３０は互いに積み重ねられ、これにより特定のウェイト１３０が持ち上げられると、この特定のウェイト１３０の上に積み重ねられた他のウェイト１３０も同様に持ち上げられる。図４は３個の連続して積み重ねられたウェイト１３０の拡大図である。図４に示すとおり、各ウェイト１３０はガイドロッド開口１６０、追加ウェイトアパーチャ１６２、セレクタアパーチャ１６４およびアクセスチャネル１６６を含む。ガイドロッド開口１６０は、ウェイト１３０を貫通して延在する穿孔通路を具える。ウェイト１３０の開口１６０はさらに、ウェイト１３０が互いに積み重ねられる際、互いに整列するよう構成されている。開口１６０はガイドロッド１２８を受容するよう構成されている。
【００２４】
追加ウェイトアパーチャ１６２は穿孔または開口を具え、それらを貫通して追加ウェイト１３６は延在する。アパーチャ１６２は、ウェイト１３０が互いに積み重ねられる際に互いに整列するよう構成されている。追加ウェイトアパーチャ１６２は一般的に、追加ウェイト１３６が上昇または下降される際の追加ウェイト１３６の上方または下方移動を意図する。
【００２５】
追加ウェイトアパーチャ１６２はセレクタアパーチャ１６４と接続し、且つ連通しているものとして図示されているが、他の実施形態においては、追加ウェイトアパーチャはウェイト１３０により完全に区切られあるいは包囲されているか、または他の箇所に設けられていてもよい。ウェイトシステム１２２がこのような追加ウェイト１３６をより多くあるいはより少なく含む実施形態において、ウェイト１３０はそれぞれ対応するこのような追加ウェイトアパーチャ１６２をより多くあるいはより少なく含むこともできる。追加ウェイト１３６がウェイト１３０の外周の外またはそれを越えて複数のウェイト１３０を越えて延在する特定の実施形態において、追加ウェイトアパーチャ１６２は省略されているか、または代替的に、各ウェイト１３０の周辺に沿って内側に延在するカットアウトを具えることができる。
【００２６】
セレクタアパーチャ１６４はウェイト１３０を貫通して延在し、且つメインウェイト選択システム１３４の部分を受容するよう構成されている開口を具える。セレクタアパーチャ１６４はウェイト１３０が互いに積み重ねられると互いに整列するよう構成されている。以下に詳細に説明するが、アパーチャ１６４はウェイト選択システム１３４の一部がアパーチャ１６４と整列する際、ウェイト選択システムのその一部がウェイト１３０に沿って且つそれを越えてアパーチャ１６４を貫通して移動することができるよう構成されている。ウェイト選択システム１３４のこの部分がアパーチャ１６４の整列から外れるように移動する際、ウェイト選択システム１３４のその部分は連続ウェイト１３０の間に形成された空隙内に延在し、これによりウェイト選択システム１３４のその部分より上にあるすべてのウェイト１３０を持ち上げることが可能である。
【００２７】
アクセスチャネル１６６は各ウェイト１３０の外周または縁からセレクタアパーチャ１６４へと内側に延在する開口または通路を具える。アクセスチャネル１６６は長手軸線に対し略垂直に延在するが、この長手軸線に沿ってウェイト１３０は積み重ねられ、且つこの長手軸線に沿って各開口１６０、アパーチャ１６２およびアパーチャ１６４が延在するかまたは整列される。アクセスチャネル１６６は、人によるアクセスおよび操作のため、メインウェイト選択システム１３４の部分がウェイト１３４の正面の位置に向かってセレクタアパーチャ１６４から突出するのを可能とするよう構成されている。互いに整列したアクセスチャネル１６６は、人がメインウェイト選択システム１３４の部分を握り、且つ個別アクセスチャネル１６６によって形成された連続垂直チャネル１６７を貫通し且つそれに沿ってメインウェイト選択システム１３４を垂直に上方および下方へ移動することを可能にする。結果として、持ち上げられるべきウェイト１３０の総数またはウェイト総量を選択するために、アクセスチャネル１６６によって、人がメインウェイト選択システム１３４をウェイト１３０のスタックに沿って複数の有効位置のひとつに向かって移動することが可能となる。
【００２８】
スペーサ１３２は、連続または隣接したウェイトを互いから垂直方向に離間および分離するよう構成されたウェイト１３０の間に設置された１個またはそれ以上の構造体を具え、これにより連続ウェイト１３０の間に空隙１７０を形成する。図３に示すとおり、図示した特定の実施例において、スペーサ１３２はより低い円筒部１７２、環状縁１７４および貫通開口１７６を有する環状ブッシングを具える。連続ウェイト１３０の間に配置されると、スペーサ１３２の円筒部１７２は下にあるウェイト１３０の開口１６０内に延び、縁１７４は下にあるウェイト１３０の上部および上層のウェイト３３を支えるショルダを形成し、下にあるウェイト１３０の上部から上にあるウェイト１３０を離間する。縁１７４は垂直距離により連続ウェイトを離間し、これによって高さとしての空隙が、空隙内に受容されるメインウェイト選択システム１３４のその部分より高さがより大きいか等しくなる。同時に、貫通孔１７６はガイドロッド１２８の一つがウェイト１３０を貫いて通過するのを可能にし、ガイドロッド１２８に沿ったウェイト１３０のスライド可能な動作を容易にする。従って、このようなブッシングは二重の目的を果たす。
【００２９】
他の実施形態において、スペーサ１３２はガイドロッド１２８に沿ったウェイト１３０のスライド動作を容易にするブッシングとは別に設けられてもよい。例えば、図３に示したブッシングは代替的に縁１７４を省略し、開口１６０内に延在してもよい。特定の実施形態において、スペーサ１３２はウェイト１３０の間に取り込まれたガイドロッド１２８周囲に配置されたワッシャを具えることができる。個別の構造をウェイト１３０のそれぞれの上面、下面または両方の面に搭載することができる。特定の実施形態において、スペーサ１３２はウェイト１３０の一個またはそれ以上のソースに締結、接着、接合または溶接されることができる。さらに他の実施形態において、スペーサ１３２はウェイト１３０との単独単一体の一部として一体的に形成されることができる。例えば、ウェイト１３０が１種またはそれ以上の金属の鋳物である実施形態において、スペーサ１３２はウェイト１３０とともに鋳造されてもよい。ウェイト１３０が封入された材料を具える実施形態において、ウェイト１３０は封入表皮中で成形または形成されてもよい。
【００３０】
スペーサ１３２は、図示した特定の実施例において、実質的に連続ウェイト１３０のそれぞれの表面の全体（スペーサ１３２によって覆われた空間を除く）にわたって延在する連続ウェイト１３０の間に空間または空隙１７０を形成するため使用されるが、他の実施形態において、空間または空隙１７０は他の方法で設けられていてもよく、他の表面範囲を有することができる。例えば、他の実施形態において、ウェイト選択システム１３４の一部を受容するのに用いられる空隙１７０は、代替的にウェイト１３０それぞれの上面、下面または両方の面のいずれか内に形成または設けられた窪み、凹部または空洞を具えることができる。このような実施形態において、上面または下面のいずれかの大部分は連続ウェイト１３０のそれぞれ下面または上面と直接接触している状態であり、連続ウェイトのこのような窪みの底面または天面のみが互いから離間され、空隙を形成する。
【００３１】
メインウェイト選択システム１３４は、エクササイズ中に上昇するための１個またはそれ以上のウェイト１３０を人が選択するのを可能にするよう構成された機構を具える。メインウェイト選択システム１３４はセレクタステム１８０およびメインセレクタ１８２を含む。セレクタステム１８０はウェイトリフト１３５に連結し、且つウェイト１３０のセレクタアパーチャ１６４内に移動可能に配置された細長シャフト、バー、ロッドまたは他の構造体を具え、これによりステム１８０がウェイトリフト１３５によって上昇または下降される。図示した特定の実施例において、ステム１８０は追加ウェイト選択システム１３８によりウェイトリフト１３５と連結している。結果として、ウェイト１３０が選択されていない場合でも、ステム１８０および追加ウェイト選択システム１３８は初期ウェイトを提供する。ステム１８０は軸１８３（図５に示す）に沿って延在し、軸１８３に沿ってメインセレクタ１８２をスライド可能に支持するよう構成されている。セレクタステム１８０はこのように構成されているため、セレクタ１８２は軸１８３に沿った複数の位置上の選択された位置にあるステム１８０に対して保持され、これによりセレクタ１８２、および任意の係合されたウェイト１３０は、ウェイトリフト１３５によってステム１８０の動作とともに移動する。
【００３２】
図５はステム１８０を完全に示し、図６はステム１８０の拡大図である。図５および図６に示すとおり、ステム１８０は先細端部１８６およびスペーサ１９０により互いに結合および離間されている多数のセグメント１８８を含む。端部１８６は穿孔１５４内に移動可能に受容されるよう構成されている。端部１８６は全体として軸１８３に沿った点に向かって先細になる。一実施形態において、端部１８６は少なくとも部分的に円錐である。端部１８６は先細であることから、端部１８６は穿孔１５４中に低下すると同時に自己センタリングおよび整列する。端部１８６は穿孔１５４中にそれ自体を整列するため、ウェイト１３０が上昇される場合に、穿孔１５４から引き出される際のステム１８０の配置に対し正確な制御を提供するために用いられる他の構造および機構を省略するか、または、より高い許容誤差を具えており、ウェイト１３０が上昇すると潜在的に摩擦および抵抗を低減し、より滑らかな感覚を提供することができる。さらに、端部１８６が穿孔１５４中にそれ自体を整列するため、部品許容度が向上し、費用を低減することができる。例えば、端部１８６は細長且つ自己整列するため、ガイドロッド１２８は、ステム１８０または、追加ウェイト選択システム１３８等の、ステム１８０に接続したウェイトシステム１２２の最上部にある双方の部分に対する正確な位置制御を維持する必要が必ずしもあるわけではない。結果として、ガイドロッド１２８とウェイトシステム１２２の上端にあるブッシングとの間の空隙または間隙が増大し、摩擦を低減してウェイト１３０の滑らかな上昇を提供する。
【００３３】
先細端部１８６はセグメント１８８およびスペーサ１９０を含むステム１８０と共に使用されるものとして図示されているが、先細端部１８６は代替的にエクササイズ装置内のスタック中のウェイトに選択的に接続した他のステムまたは上昇ロッドにおいて用いられることができる。例えば、先細端部１８６は個々のウェイトプレート内の対応する孔中に挿入されるピンを受容する複数の軸方向孔を伴う中央ロッドまたはシャフトを有する他の目下利用可能なウェイトスタックにおいて用いられてもよい。他の実施形態において、先細端部１８６は半球形または半円の形状であるが、平板あるいは省略されていてもよい。
【００３４】
セグメント１８８およびスペーサ１９０は交互に軸１８３に沿って延在する。それぞれのセグメント１８８はセレクタ１８２が、第１角度位置と第２角度位置との間を、軸８３の周囲を回転することができるよう成形されているが、第１角度位置においてセレクタ１８２はセグメント１８８からの実質的な干渉を受けることなく軸８３に沿って移動またはスライドすることができ、第２角度位置においてセレクタ１８２は軸１８３に沿った２個の連続するセグメント１８８の間に保持される。特に、セグメント１８８は、セレクタ１８２が第１角度位置にある際にそれぞれのセグメント１８８がセレクタ１８２内の開口を通過できるよう、且つセレクタ１８２が第２角度位置にある際にセレクタ１８２内の同一開口を通過しないよう遮断されるよう構成された断面形状を有する。図示した実施例において、セグメント１８８のそれぞれは非円形または非円環の断面形状を有する。図示した特定の実施例において、セグメント１８８のそれぞれはメインセレクタ１８２を貫通する開口の断面形状に対応する非円形断面形状を有する。図示した実施例において、それぞれのセグメント１８８は一般的に「＋」型の断面を有する。結果として、セグメント１８８はセレクタ１８２の大部分の下に延在して、セレクタ１８２の向上された保持力を提供するため、ウェイト１３０はステム１８０にさらに良好に接続する。他の実施形態において、セグメント１８８は他の断面形状を有することができる。
【００３５】
それぞれのセグメント１８８は、特定のセグメント１８８から水平方向に向かい合って延在する個々のウェイト１３０の高さまたは厚さと実質的に等しい高さまたは厚さをさらに有する。結果として、スペーサ１９０によって提供された間隙１９２は、ウェイト１３０の間の空隙１７０（から水平方向に向かい合って）実質的に垂直に整列されている。それぞれのウェイト１３０が実質的に同じ厚さを有する、図示した特定の実施例において、それぞれのセグメント１８８もまた実質的に同じ厚さを有する。異なるウェイト１３０が異なる厚さを有することができる他の実施形態において、特定のセグメント１８８から水平方向に向かい合った特定のウェイト１３０の厚さと実質的に等しい厚さを有する場合、セグメント１８８は異なる厚さを有することができる。
【００３６】
スペーサ１９０はセグメント１８８の間を延在してセグメント１８８を分離するステム１８０の部分を具える。個々のスペーサ１９０は、セレクタ１８２の一部が連続セグメント１８８の間に捕捉または受容されるような高さを有する。それぞれのスペーサ１９０は上にあるセグメント１８８を支持するよう構成され、これによりセグメントの上面は対応する空隙１７０（図２に示す）の前と実質的には水平に共面（ｃｏｐｌａｎａｒ）または同範囲（ｃｏｅｘｔｅｎｓｉｖｅ）である。一実施形態によれば、スペーサ１９０はそれぞれ、対応する空隙１７０（図２に示す）の高さと実質的に等しい高さを有する。図示した特定の実施例において、それぞれのスペーサ１９０はスペーサ１３２の縁１７４（図４に示す）の高さと実質的に等しい高さを有する。スペーサ１９０はセレクタ１８２が第１および第２角度位置の間を回転するのを可能にする。スペーサ１９０はそれぞれセグメント１８８の断面形状より小さい断面形状寸法を有する。
【００３７】
図示した特定の実施例において、それぞれのスペーサ１９０は、連続セグメント１８８の間にある際のセレクタ１８２のより容易な回転を可能にする円形断面形状を有する。他の実施形態において、スペーサ１９０は他の断面形状を有することができる。図示した実施例において、それぞれのスペーサは単独単一体として他のスペーサ１９０およびセグメント１８８と一体的に形成されている。他の実施形態において、一個またはそれ以上のスペーサ１９０または一個またはそれ以上のセグメント１８８は、互いに接続しているか、互いに積み重ねられているか、または、サポートシャフト、ロッドまたはバー等の第３支持構造体に接続している、独立あるいは特異構造であることができる。
【００３８】
セレクタ１８２は、チャネル１６７に沿って且つ少なくとも部分的にチャネル１６７内で、選択された空隙１７０の向かいの複数の選択可能位置のうちの一つの間を移動し、且つ引出し位置から、セレクタ１８２が空隙の間に延在し且つステム１８０に相対して軸方向に保持される挿入位置へと移動されるよう構成された機構を具える。結果として、ウェイトリフト１３５がステム１８０に持ち上げ力をかけてステム１８０を上昇する際、セレクタ１８２および上にあるウェイト１３０の全てもまた上昇される。図示した特定の実施例において、セレクタ１８２は挿入位置と引出し位置との間で回転するよう構成されている。
【００３９】
図３に示すとおり、セレクタ１８２はハウジング２００、ベアリング２０２、係合プレート２０４、ハンドル２０６、および整列インジケータ２０８を含む。ハウジング２００はセレクタ１８２のステム１８０に沿ったスライド動作を容易にするベアリング２０２を収容するよう構成された構造体を具える。図示した特定の実施例において、ベアリング２０２はハウジング２００内に含まれるＪシリーズスリーブブッシングを具える。このような実施形態において、ハウジング２００はこのようなブッシングを受容するための内筒形空洞を有する。
【００４０】
係合プレート２０４は、係合突起２１０および開口２１２を含む、ハウジング２００に固定された構造を具える。一実施形態において、係合プレート２０４は接合、溶接、締結、または他の方法でハウジング２００に固定されている。さらに他の実施形態において、プレート２０４はハウジング２００との単独単一体の一部として一体的に形成されている。
【００４１】
係合突起２１０は空隙１７０内に挿入可能である厚さまたは高さを有する外側に延在する突起を具える。図示した特定の実施例において、係合突起２１０は約１８０度で互いから角度をつけて離間した外側に突出するタブを具える。結果として、いずれの方向でもステム１８０の周囲でのセレクタ１８２の回転は対応する空隙１７０内の突起２１０の少なくとも一つと位置づける。他の実施対応において、セレクタ１８２は単一係合突起２１０有するか、または一個より多い係合突起２１０を含むことができる。他の実施対応において、突起２１０は他の形状を有することもできる。
【００４２】
開口２１２は、プレート２０４を貫通し、少なくとも部分的にハウジング２００内の開口または穿孔と整列され、ベアリングを貫通する非円形の開口である。開口２１２は、セレクタ１８２が第1の角位置または方向にある際に、開口２１２によりステム１８０がこれを貫通し、セレクタ１８２がステム１８０に沿って移動またはスライドできるようにするように構成される。開口２１２は、セレクタ１８２が第２の角位置または方向にある際に、連続セグメント１８８の間にプレート２０４が捕捉され、かかるセレクタ１８２がステム１８０に沿って保持されるようにさらに構成される。図示の特定の実施例において、開口２１２はセグメント１８８の断面形状に対応する形状を有する。図示の特定の実施例において、開口２１２は「＋」形状を有する。他の実施形態において、開口２１２は異なる形状を有することができ、セグメント１８８の形状から区別される形状を有することができる。
【００４３】
ハンドル２０６は、ウェイトのセレクタアパーチャ１６４内且つウェイト１３０のアクセスチャネル１６６を貫くハウジング２００開口２１２に隣接した第１位置から延びる延長部を具える。ハンドル２０６は、人より手動で掴むように構成されており、これによって、開口２１２がステム１８０のセグメント１８８と整列している第１の角位置と、開口２１２がステム１８０のセグメント１８２と整列していない第２の角位置との間で、人が開口２１２を回転可能となる。ハンドル２０６により、開口２１２がセグメント１８８と整列するまで回転されている場合に、人がチャネル１６７に沿ってセレクタ１８２を手動で上昇または下降することがさらに可能となる。図示の特定の実施例において、ハンドル２０６の大部分は、単独単一体の一部としてプレート２０４と一体に形成されるので、加工および組み立てコストが低減される。他の実施形態において、ハンドル２０６をハウジング２００から作るが、他の形状および構成を有していてもよい。さらに他の実施形態において、第１角位置と第２角位置の間で、ハンドル２０６および開口２１２を選択的に回転するよう構成された動力アクチュエータにハンドル２０６を連結することができる。一実施形態において、エクササイズ装置１２０は、アクチュエータを制御するためおよびセレクタ１８２を遠隔制御するために、有線または無線リモートコントロール等のリモートコントロールを含むことができる。
【００４４】
整列インジケータ２０８は、係合突起２１０が空隙１７０の一つと（水平に向かい合って）整列したことを、人に対して表示する機構を具える。図示の実施例では、整列インジケータ２０８は、セレクタ１８２から外方に弾性的に付勢されウェイト１３０の表面に接する構造体を具える。整列インジケータ２０８は、空隙１７０の一つに向かい合った空隙１７１の対向する一つの中に延在する。セレクタ１８２が上昇または下降され、インジケータ２０８が空隙１７０の一つから空隙１７０の他の一つまで動かされるのにつれて、整列インジケータ２０８は弾性的に圧縮、屈曲または変形する。整列インジケータ２０８は、クリック音または抵抗感を与えて、セレクタ１８２が空隙１７０の選択した一つと整列したことを人に示す。
【００４５】
図示の特定の実施例において、整列インジケータ２０８は弾性的に付勢されたボールを用いる。整列インジケータ２０８は、ボール止めハウジング２１６およびボール止め２１８を含む。ボール止めハウジングは、ハウジング２００に溶接、接合、締結または接着されており、ボール止め２１８を受容する。図示の実施例において、ボール止め２１８は、マクマスター・カー（ＭｃＭａｓｔｅｒ  Ｃａｒｒ）から市販されている１／２−１３ねじスプリングボール止めである。他の実施形態において、整列インジケータ２０８は、他の弾性的に付勢された面を具えることができる。他の実施形態において、整列インジケータ２０８を省略してもよい。
【００４６】
図７−１０は、メインウェイト選択システム１３４の動作を示している。図７は、整列した角位置にあるセレクタ１８２を示しており、この位置では、開口２１２が十分にセグメント１８８と整列しており、セレクタ１８２をチャネル１６７を通り且つこれに沿って垂直に動かし、セレクタ１８２を空隙１７０の一つと向かい合うように垂直に位置合わせする。図７は、ウェイト１３０の上側の一つに向かって最初に位置あわせしたセレクタ１８２を示す。
【００４７】
図８は、整列インジケータ２０８の使用をより詳細に示す。図７に示すように、ボール止め２１８は、先細周辺部２２０および外方に突出した弾性付勢ボール２２２を含む。図示の特定の実施例において、ボール２２２は、ボール２２２が（図８に示すように）ウェイト１３０との係合から外れた離脱位置と、ボール２２２がウェイト１３０の縁と係合する係合位置との間で回転する。セレクタ１８２が空隙１７０の一つと適当に整列されたことの通知を受けるために、人がセレクタ１８２を回転して、ボール２２２を係合位置に配置する。結果として、セレクタ１８２が上昇および下降されるのにつれて、ボール２２２が交互に空隙１７０内に突出し、または中間ウェイト１３０により圧縮される。これにより、セレクタ１８２が空隙１７０の一つと整列したことを知らせる可聴感覚または触覚感覚を人が受け、おそらくは突起２１０が空隙１７０の一つに挿入される位置までさらに回転される。
【００４８】
図９および１０は、最下ウェイト１３０の直下に再配置されたセレクタ１８２を示す。図９に示すように、セレクタ１８２は環状位置まで回転されて、係合突起２１０が上にあるウェイト１３０の面より下に延びる。図１０にしめすように、セレクタ１８２のこの回転によっても、開口２１２がステム１８０のセグメント１８８に対して非整列位置まで回転することとなる。結果として、セレクタ１８２はステム１８０に対して軸方向に保持される。その後、ウェイトリフト１３５によるステム１８０の任意の持ち上げによっても、セレクタ１８２および上にあるウェイト１３０全てもまた上昇または持ち上げられることとなる。異なる総重量を選択するために、人は、（１）セレクタ１８２を（図１０Ａに示すように）整列位置まで単に回転して戻し、セレクタ１８２をチャネル１６７に沿ってスライドして、セレクタ１８２を、空隙１７０の選択した一つに向かい合い、ウェイト１３０の選択した一つの下方に配置し、（２）セレクタ１８２を（図１０Ｂに示すように）非整列角方向に回転する。したがって、ウェイト選択は単純である。
【００４９】
ウェイトリフト１３５は、ウェイト選択システム１３４及び追加ウェイト選択システム１３８を、ケーブルシステム２４（図１に示す）に連結する。ウェイトリフト１３５は、バー２３５、ケーブルアタッチメント２３７、ファスナ２３８（図３に示す）およびケーブル２３９（図２に示す）を含む。バー２３５は、追加ウェイト選択システム１３８を貫いて延在し、天面１５７に固定的に連結される。ケーブルアタッチメント２３７は、ファスナ２３８によりバー２３５に固定される。他の実施形態において、ウェイト選択システム１３４は、他の方法でケーブルシステム２４に接続されてもよい。
【００５０】
図１０は追加ウェイト１３６をより詳細に示す。図１０に示すように、追加ウェイト１３６は、予め決まった重量の細長ロッドを具える。一実施形態によれば、ウェイト１３６は、ウェイト１３０の個々の重量総量と異なる個々の重量総量を有する。一実施形態において、ウェイト１３０のそれぞれは１５ポンド（６．８ｋｇ）の重量を有し、一方追加ウェイト１３６Ａと１３６Ｂの双方は５ポンド（２．２７ｋｇ）の重量を有する。一実施形態において、ウェイト１３６Ａは、ウェイト１３０の重量総量の半分の付加重量総量を有することができ、ウェイト１３６Ｂは、ウェイト１３０の重量総量の４分の１の重量総量を有することができる。例えば、一実施形態において、ウェイト１３０のそれぞれは１０ポンド（４．５４ｋｇ）であり、一方、追加ウェイト１３６Ａおよび１３６Ｂはそれぞれ５ポンド（２．２７ｋｇ）および２．５ポンド（１．１４ｋｇ）である。さらに他の実施形態において、ウェイト１３６はウェイト１３０とは異なる他の重量増分を有することができる。
【００５１】
追加ウェイト１３６は、開口１６２（図４に示す）を通りウェイト１３０内に延び、複数のウェイト１３０にわたって垂直に延びる。これによりいくつかの利点がもたらされる。第１に、ウェイト１３６は、ウェイトシステム１２２の高さ、幅または長さを実質的に増加させない。第２に、追加ウェイト３６は、ウェイトスタックの重心に対してより近くに配置されており、ガイドロッド１２８またはスタックの動きをガイドする他の構造体との摩擦を生じさせるおそれのある、スタックの転倒モーメントを低減する。第３に、ウェイト１３６は、より清潔でよりコンパクトな外観のために、少なくとも一部が隠れたままである。図１０にさらに示されるように、ウェイト１３６および下端はドック１４８の穿孔１５６内に受容され、上端は、追加ウェイト選択システム１３８の一部を受容するための溝またはチャネル２３０を含む。
【００５２】
図３および１１は、追加ウェイト選択システム１３８を示す。追加ウェイト選択システム１３８は、人が、主としてメインウェイト１３０により決まるウェイトの総量にウェイト１３６の一方または双方を加えることを選択することを可能とする。図３に示すように、システム１３８は頂部２４０、セレクタ２４２およびポジションインジケータ２４４を含む。頂部２４０はファスナ２４８により天板１５７に取り付けられており、セレクタ２４２を頂部２４７と天板１５７の間に捕捉する。頂部２４０はさらにポジションインジケータ２４４の一部を指示する。円形に図示されているが、頂部２４０は種々の形状および構成とすることができる。
【００５３】
セレクタ２４２は、ステム１８０の中心軸線の周りを回転し、選択的に追加ウェイト１３６に係合するように構成された部材を具える。セレクタ２４２はプレート２５２およびハンドル２５４を含む。プレート２５２はセレクタ２４２の本体として機能する。プレート２５２はスロット２５８、キャッチ２６０およびキャッチ２６２を含む。スロット２５８は、ファスナ２４８を受容するよう構成された細長弧状開口貫通プレート２５２を具える。
【００５４】
キャッチ２６０および２６２は、ウェイト１３６の上部を受容するように構成されたプレート２５２に形成された略水平なフックまたはノッチを具えており、プレート２５２の一部が溝２３０内でウェイト１３６の周りに延びる。キャッチ２６０および２６２は互いに対して傾斜して位置しており、（１）セレクタ２４２は第１の角位置（図１１および１１Ａに示す）まで回転し、キャッチ２６０およびキャッチ２６２のいずれもが追加ウェイト１３６と係合しておらず、（２）セレクタ２４２が第２の角位置まで第１の角度量で回転し、キャッチ２６０が追加ウェイト１３６Ａを受容しこれと係合する一方で、キャッチ２６０は追加ウェイト１３６Ｂから分離したままであり、（３）セレクタ２４２は、第３の角位置まで第２のより大きな角度量で回転し、キャッチ２６０および２６２の双方が追加ウェイト１３６Ａおよび１３６Ｂとそれぞれ係合する（図１１Ｃに示す）。追加ウェイト１３６を係合することにより、セレクタ２４２は、追加ウェイト１３６を頂部１５７、ステム１８０およびウェイトリフト１３５に連結して、追加ウェイト１３６の一方または双方の重量を持ち上げられる総重量に加える。
【００５５】
ポジションインジケータ２４４は、可聴フィードバックまたは触覚フィードバックを人に与え、セレクタ２４２の正確な角位置を示す。図１１に示すように、ポジションインジケータ２４４は止め部２７０Ａ、２７０Ｂおよび２７０Ｃ（集合的に止め部２７０と呼ぶ。）、ボール止めボスまたはハウジング２７２ならびにボール止め２７４を含む。止め部２７０は、セレクタ２４２のプレート２５２に形成された凹部または孔部を具える。止め部２７０は、セレクタ２４２の異なる角位置に対応し、ボール止め２７４と協働して、セレクタ２４２の角位置を示す。
【００５６】
ボール止めハウジング２７２は頂部２４０により支持され、ボール止め２７４を収容する。ボール止め２７４は、止め部２７０内に部分的に受容されるよう構成された弾性付勢ボールを具える。特に、ボール止め部２７４が止め部２７０Ａ内にある場合には、セレクタ２４２は、ウェイト１３６のいずれもがキャッチ２６０、２６２により係合されていない第１の角位置にある。ボール止め２７４のボールが止め部２７０Ｂ内にある場合には、セレクタ２４２は、キャッチ２６０が追加ウェイト１３６Ａと上昇係合し、キャッチ２６２が追加ウェイト１３６Ｂと上昇係合していない第２の角位置にある。ボール止め２７４のボールが止め部２７０Ｃ内にある場合には、セレクタ２４２は、キャッチ２６０および２６２はともに追加ウェイト１３６Ａおよび１３６Ｂとそれぞれ上昇係合している第３の角位置にある。他の実施形態において、板ばね等の、ボール以外の他の上昇のみ付勢された判定器を用いて、止め部２７０の一つを弾性的に係合して、セレクタ２４２の角位置を表すことができる。他の実施形態において、位置インジケータ２４４を省略することもできる。
【００５７】
図１１Ｄは、選択された数の持ち上げられたウェイト１５７を示しており、セレクタ２４２は、追加ウェイト１３６の双方がウェイトリフト１３５に連結されている第３の角位置（図１１Ｃにも示されている）にある。図１１Ｄに示すように、このような持ち上げの間、ウェイト１３６の双方が引っ張られ、開口１６２を通って持ち上げられる。かっかとして、追加ウェイト１３６の重量が持ち上げられる総重量に加わる。前述のように、他の実施形態では、セレクタ２４２は、追加ウェイト１３６Ａだけがウェイトリフト１３５に連結される第２の角位置またはいずれの追加ウェイト１３６もウェイトリフト１３５に連結されていない第１の角位置に代替的に配置することもできる。
【００５８】
追加ウェイト選択システム１３８が、２つの追加ウェイト１３６を係合するための２つのキャッチ２６０および２６２を含むものとして図示しているが、他の実施形態において、ウェイトシステム１２２は、より多くのまたはより少ない追加ウェイト１３６を具えてもよい。同様に、追加ウェイト選択システム１３８は、より多くのまたはより少ない追加ウェイトと選択的に係合するように構成することができ、その場合には、セレクタ２４２は付加的なキャッチを含むことができ、異なる組の追加ウェイトが係合される付加的なまたはより少ない角位置を有することができる。さらに他の実施形態において、追加ウェイト１３６および追加ウェイト選択システム１３８を省略したり、他の構成としたりすることもできる。
【００５９】
ウェイトシステム１２２を使用する人がステム１８０から一般に取り外せないセクタ１８２を用いるものとしてウェイトシステム１２２を図示し説明してきたが、他の実施形態において、ウェイトシステム１２２は、１つ以上のウェイト１３０を選択するための他の機構を含むことができる。例えば、一実施形態において、セレクタ１８２を省略し、チャネル１６７に挿入し、空隙１７０の選択された一つに挿入されつつ、ステム１８０との保持係合が可能な代替的着脱セレクタと置換することもできる。
【００６０】
図１２および１３はエクササイズ装置２０（図１に示す）の他の実施形態であるエクササイズ装置３２０を示す。装置２０と同様に、装置３２０もケーブルシステム２４およびエクササイズインターフェイス２６（これら双方は装置２０に関連して説明されている）を含む。装置２０と異なり、装置３２０はウェイトシステム２２の具体的実施形態であるウェイトシステム３２２を含む。ウェイトシステム３２２は、整列インジケータ２０８（図８を参照して上で説明および図示した）の代わりに整列インジケータ３０８を含むという点を除いて、ウェイトシステム１２２と同様である。整列インジケータ２０８と同様に、整列インジケータ３０８は、係合突起２１０が空隙１７０の一つと（水平に向かい合って）整列されたことを人に知らせるように構成された機構を具える。図示の実施例において、整列インジケータ３０８は、セレクタ１８２から外方に弾性的に付勢され、ステム１８０に沿ってスペーサ１９０の一つと接する構造体を具える。整列インジケータ３０８は、スペーサ１９０の一つと向かい合ったスペーサ１９０の対向する一つの中に延びる。セレクタ１８２が上昇または下降され、インジケータ３０８が空隙１７０の一つから他の空隙１７０に移動されるにつれて、整列インジケータ３０８は弾性的に圧縮、屈曲または変形する。整列インジケータ３０８はクリック音または抵抗感を与えて、セレクタ１８２が空隙１７０の選択した一つと整列したことを人に知らせる。
【００６１】
図１３に示すように、整列インジケータ３０８は、弾性的に付勢されたボール３２２を用いる。整列インジケータ３０８は、ボール止めハウジング３１６およびボール止め３１８を含む。ボール止めハウジングは、ハウジング２００に溶接、接合、締結または接着されており、ボール止め３１８を受容する。図示の実施例において、ボール止め３１８は、マクマスター・カー（ＭｃＭａｓｔｅｒ  Ｃａｒｒ）から市販されている１／２−１３ねじスプリングボール止めである。他の実施形態において、整列インジケータ３０８は、他の弾性的に付勢された面を具えることができる。他の実施形態において、整列インジケータ３０８を省略してもよい。
【００６２】
エクササイズ装置１２０に対応するエクササイズ装置３２０の残余の部品は同様の番号が付されている。エクササイズ装置１２０と同様に、エクササイズ装置３２０は比較的低コストなコンポーネント配置となっており、エクササイズルーチンのための所望のウェイト量を素早く且つ容易に選択することを可能にする。
【００６３】
図１４はウェイトシステム４２２を示す。ウェイトシステム４２２は、セレクタ１８２の代わりにセレクタ４３４（図１２に示す）を含むという点を除いて、ウェイトシステム１２２と同様である。システム４２２の残余の部品は図２〜１１に示されている。セレクタ４３４は、空隙１７０の選択された一つに向かい合ってその内部に挿入され、ステム１８０（図５に示す）と保持係合するよう構成される。セレクタ４３４は突起４３６、４３８およびハンドル４４０を含む。突起４３６、４３８は、中間開口またはスロット４４２により分離された舌部または凸部を具える。突起４３６、４３８は、それらが連続するウェイト１３０（図２に示す）の間で空隙１７０内に受容されるような厚さを有する。同時に、開口４２２は、ステム１８０（図６に示す）の連続するセグメント１８８の間でスペーサの一つの周りに延びるよう構成される。結果として、セレクタ４３４は、選択された空隙１７０内に挿入され、ステム１８０と保持係合されてもよく、ステム１８０の持ち上げは選択された空隙１７０の上方にあるウェイト１３０も持ち上げる。
【００６４】
ハンドル４４０は、突起４３６および４３８を与える薄板から延びる延長部を具える。ハンドル４３０は、突起４３６、４３８からチャネル１６７を通りこれを超えて延びるよう構成される。ハンドル４３０により、人がセレクタ４３４をウェイト１３０のスタックに沿って所望の位置に挿入または引き出しすることができる。他の実施形態において、セレクタ４３４は他の構成を有することができる。
【００６５】
図１５〜２０はエクササイズ装置２０（図１に示す）の他の実施形態であるエクササイズ装置５２０を示す。装置２０と同様に、装置５２０もケーブルシステム２４およびエクササイズインターフェイス２６（これら双方は装置２０に関連して説明されている）を含む。装置２０と異なり、装置５２０はウェイトシステム２２の具体的実施形態であるウェイトシステム５２２を含む。ウェイトシステム５２２は、ベース１２６、アッパーガイド１２７、ガイドロッド１２８およびウェイトリフト１３５を含むという点において、ウェイトシステム１２２と同様であり、これらのそれぞれはウェイトシステム１２２を参照して上で図示し説明した。ウェイトシステム１２２と異なり、ウェイトシステム５２２は、ウェイト１３０とメインウェイト選択システム５３４の代わりにウェイト５３０およびメインウェイト選択システム５３４を含む。
【００６６】
ウェイト５３０は、持ち上げられ、エクササイズに機械的抵抗を与えるよう構成され、予め定められた重量総量を有する構造体を具える。図示の特定の実施例において、ウェイト５３０はそれぞれ一種以上の金属からなる中実または中空のプレートを具える。他の実施形態において、ウェイト５３０は、他の材料を含んでもよく、砂、水または他の材料を封入した材料を含んでもよい。
【００６７】
ウェイト５３０は互いに積み重ねられて、特定のウェイト５３０が持ち上げられるのにつれて、この特定のウェイト５３０の上に積まれた他のウェイト５３０も持ち上げられる。図１５は、３つの連続して積み重ねられたウェイト５３０を示しており、図示の一番上のウェイト５３０を図示の目的で透明にしている。図１５に示すように、各ウェイト５３０はガイドロッド開口５６０、ステム開口５６２、セレクタアパーチャ５６４、アクセスチャネル５６６および空隙５７０を含む。ガイドロッド開口５６０は、各ウェイト５３０を貫通して延在する穿孔通路を具える。ウェイト５３０の開口５６０はさらに、ウェイト５３０が互いに積み重ねられる際、互いに整列するよう構成されている。開口５６０はガイドロッド１２８を受容するよう構成されている。ステム開口５６２は、ウェイト選択システム５３４のステム５８０をスライド可能に受容するよう構成された、略中心に位置する開口貫通ウェイト５３０を具える。
【００６８】
セレクタアパーチャ５６４は、開口５６２からウェイト５３０を貫通して延在し、且つメインウェイト選択システム５３４の部分を受容するよう構成されている開口を具える。セレクタアパーチャ５６４はウェイト５３０が互いに積み重ねられると互いに整列するよう構成されている。以下に詳細に説明するが、アパーチャ５６４はウェイト選択システム５３４の一部がアパーチャ５６４と整列する際またはこれに収容される際に、ウェイト選択システム５３４の一部がウェイト５３０に沿って且つそれを越えてアパーチャ５６４を貫通して移動することができるよう構成されている。ウェイト選択システム５３４のこの部分がアパーチャ５６４から外れるように移動する際、ウェイト選択システム５３４のその部分は連続ウェイト５３０の間に形成された空隙内に延在し、これによりウェイト選択システム５３４のその部分より上にあるすべてのウェイト５３０を持ち上げることが可能である。
【００６９】
アクセスチャネル５６６は各ウェイト５３０の外周または縁からセレクタアパーチャ５６４へと内側に延在する開口または通路を具える。アクセスチャネル５６６は長手軸線に対し略垂直に延在するが、この長手軸線に沿ってウェイト５３０は積み重ねられ、且つこの長手軸線に沿って各開口５６０が延在するかまたは整列される。アクセスチャネル５６６は、人によるアクセスおよび操作のため、メインウェイト選択システム５３４の部分がウェイト５３４の正面の位置に向かってセレクタアパーチャ５６４から突出するのを可能とするよう構成されている。互いに整列したアクセスチャネル５６６は、人がメインウェイト選択システム５３４の部分を握り、且つ個別アクセスチャネル５６６によって形成された連続垂直チャネル５６７を貫通し且つそれに沿ってメインウェイト選択システム５３４を垂直に上方および下方へ移動することを可能にする。結果として、持ち上げられるべきウェイト５３０の総数またはウェイト総量を選択するために、アクセスチャネル５６６によって、人がメインウェイト選択システム５３４をウェイト５３０のスタックに沿って複数の有効位置のひとつに向かって移動することが可能となる。
【００７０】
空隙５７０は、セレクタ５８２がシステム５３４のステム５８０（以下で説明する）と連結係合するよう配置された際に、メインウェイト選択システム５３４のセレクタ５８２（以下で説明する）を受容するよう構成された空洞、凹部、窪みまたは他の開口を具える。図示の実施例において、空隙５７０は、セレクタアパーチャ５６４に隣接し、システム５３４のステムに隣接する各ウェイト５３０の上または下に形成される。図示の実施例において、空隙５７０はステム５８０の反対側に延在しており、セレクタ５８２によるステム５８０の反対側との係合を容易にしている。図示の実施例において、空隙５７０は略長方形である。他の実施例において、空隙５７０は、代替的に各ウェイト５３０の上側に形成されてもよく、異なる程度にステム５８０に隣接して延在してもよく、他の形状を有していてもよい。空隙５７０は単一の連続した空隙として図示されているが、他の実施形態において、空隙５７０は、セレクタ５８２の一部を受容する明確に離間した部分を含むこともできる。空隙５７０は、ウェイト５３０の一部として一体的に形成されており、部品の数を減らしシステム５２２を単純にしているが、他の実施形態において、空隙５７０は代替的に連続ウェイト５３０の間に位置し、且つ連続ウェイト５３０の対向面を離間させるスペーサにより形成することができる。
【００７１】
メインウェイト選択システム５３４は、エクササイズ中に持ち上げるための１個またはそれ以上のウェイト５３０を人が選択するのを可能にするよう構成された機構を具える。メインウェイト選択システム５３４はセレクタステム５８０およびメインセレクタ１８２を含む。セレクタステム５８０はウェイトリフト１３５に連結し、且つウェイト５３０のセレクタアパーチャ５６４内に移動可能に配置された細長シャフト、バー、ロッドまたは他の構造体を具え、これによりステム５８０がウェイトリフト５３５によって上昇または下降される。図示した特定の実施例において、ステム５８０はウェイトリフト１３５と連結している。ステム５８０は軸５８３に沿って延在し、軸５８３に沿ってメインセレクタ５８２をスライド可能に支持するよう構成されている。セレクタステム５８０はこのように構成されているため、セレクタ５８２は軸５８３に沿った複数の位置上の選択された位置にあるステム５８０に対して保持され、これによりセレクタ５８２、および任意の係合されたウェイト５３０は、ウェイトリフト１３５によってステム５８０の動作とともに移動する。
【００７２】
図１５に示すとおり、ステム５８０は先細端部５８６およびスペーサ５９０により互いに結合および離間されている多数のセグメント５８８を含む。端部５８６は穿孔１５４（図２に示す）内に移動可能に受容されるよう構成されている。端部５８６は全体として軸５８３に沿った点に向かって先細になる。一実施形態において、端部５８６は少なくとも部分的に円錐である。端部５８６は先細であることから、端部５８６は穿孔１５４中に低下すると同時に自己センタリングおよび整列する。端部５８６は穿孔１５４中にそれ自体を整列するため、ウェイト５３０が上昇される場合に、穿孔１５４から引き出される際のステム５８０の配置に対し正確な制御を提供するために用いられる他の構造および機構を省略するか、または、より高い許容誤差を具えており、ウェイト５３０が上昇すると潜在的に摩擦および抵抗を低減し、より滑らかな感覚を提供することができる。さらに、端部１８６が穿孔１５４中にそれ自体を整列するため、部品許容度が向上し、費用を低減することができる。例えば、端部５８６は細長且つ自己整列するため、ガイドロッド１２８は、ステム５８０またはステム５８０に接続したウェイトシステム５２２の最上部にある双方の部分に対する正確な位置制御を維持する必要が必ずしもあるわけではない。結果として、ガイドロッド１２８とウェイトシステム５２２の上端にあるブッシングとの間の空隙または間隙が増大し、摩擦を低減してウェイト５３０の滑らかな上昇を提供する。他の実施形態において、先細端部１８６は半球根状または半球状としてもよく、平坦にしてもよく、または省略してもよい。
【００７３】
セグメント５８８およびスペーサ５９０は交互に軸５８３に沿って延在する。それぞれのセグメント５８８は、セレクタ１８２がステム５８０に沿って垂直に移動できるように成形されている。図示した実施例において、ステム５８０は円形断面を有しており、これによって製造コストと複雑さを低減している。他の実施形態において、ステム５８０は他の断面を有してもよい。
【００７４】
それぞれのセグメント５８８は、特定のセグメント５８８から水平方向に向かい合って延在する個々のウェイト５３０の高さまたは厚さと実質的に等しい高さまたは厚さをさらに有する。結果として、スペーサ５９０によって提供された間隙５９２は、ウェイト５３０の間の空隙５７０（から水平方向に向かい合って）実質的に垂直に整列されている。それぞれのウェイト５３０が実質的に同じ厚さを有する、図示した特定の実施例において、それぞれのセグメント５８８もまた実質的に同じ厚さを有する。異なるウェイト５３０が異なる厚さを有することができる他の実施形態において、特定のセグメント５８８から水平方向に向かい合った特定のウェイト５３０の厚さと実質的に等しい厚さを有する場合、セグメント５８８は異なる厚さを有することができる。
【００７５】
スペーサ５９０はセグメント５８８の間を延在してセグメント５８８を分離するステム５８０の部分を具える。個々のスペーサ５９０は、セレクタ５８２の一部が連続セグメント５８８の間に捕捉または受容されるような高さを有する。それぞれのスペーサ５９０は上にあるセグメント５８８を支持するよう構成され、これによりセグメントの上面は対応する空隙５７０（図１６に示す）の前と実質的には水平に共面または同範囲である。一実施形態によれば、スペーサ５９０はそれぞれ、対応する空隙５７０（図１６に示す）の高さと実質的に等しい高さを有する。スペーサ５９０はセレクタ５８２が第１および第２位置の間をスライドするのを可能にする。スペーサ５９０はそれぞれセグメント５８８の断面形状より小さい断面形状寸法を有する。
【００７６】
セレクタ５８２は、チャネル５６７に沿って且つ少なくとも部分的にチャネル５６７内で、選択された空隙５７０の向かいの複数の選択可能位置のうちの一つの間を移動し、且つ引出し位置から、セレクタ５８２が空隙の間に延在し且つステム５８０に相対して軸方向に保持される挿入位置へと移動されるよう構成された機構を具える。結果として、ウェイトリフト１３５がステム５８０に持ち上げ力をかけてステム５８０を上昇する際、セレクタ５８２および上にあるウェイト５３０の全てもまた上昇される。図示した特定の実施例において、セレクタ５８２は挿入位置と引出し位置との間で回転するよう構成されている。
【００７７】
図１７に示すとおり、セレクタ５８２はサポート６００およびフォーク６０２を含む。サポート６００は、軸５８３に直交する方向への移動のためにフォーク６０２をスライド可能に支持しつつ、ステム５８０に沿ってスライドするよう構成された構造体を具える。図１９および２０に示すとおり、サポート６００はスリーブ６０６およびプラットフォーム６０８を含む。スリーブ６００はステム５８０を受容し、ステム５８０の周りに延びて、ステム５８０に沿ってスライドする。一実施形態において、スリーブ６０６は、スリーブ６００の、ステム５８０に沿ったスライド移動をさらに容易にする内部ベアリング構造（図示せず）を付加的に含むことができる。
【００７８】
プラットフォーム６０８は、スリーブ６０６から突出し、整列された開口５６７を横切ってフォーク６０４の下にわたる。プラットフォーム６０８は、軸５８３およびステム５８０に実質的に直交するフォーク６０４の移動を移動可能に支持およびガイドするベースまたはデッキを提供する。プラットフォーム６０８はフォーク６０４の下にわたるように図示されているが、他の実施形態では、プラットフォーム６０８は代替的にフォーク６０４を越えて延在し、または少なくとも部分的にフォーク６０４を含むことができる。
【００７９】
フォーク６０４は、図１６および１７に示す離脱位置と、図１８および１９に示す離脱位置との間を軸５８３に実質的に直交する軸に沿って作動可能または移動可能な構造体を含む。フォーク６０４は突起６３６、６３８およびハンドル６４０を含む。突起６３６、６３８は、中間開口またはスロット６４２により分離された舌部または凸部を具える。突起６３６、６３８は、連続ウェイト５３０（図１５に示す）の間で空隙５７０内に受容されるような厚さを有する。同時に、開口６２２は、ステム５８０（図１７に示す）の連続するセグメント５８８の間でスペーサ５９０の一つの周りに延びるよう構成される。結果として、セレクタ５８２は、選択された空隙５７０内に挿入され、ステム５８０と保持係合されてもよく、ステム５８０の持ち上げは選択された空隙５７０の上方にあるウェイト５３０も持ち上げる。
【００８０】
ハンドル５４０は、突起５３６および５３８から延びる延長部を具える。ハンドル５３０は、突起５３６、５３８からチャネル５６７（図１５に示す）を通りこれを超えて延びるよう構成される。ハンドル５３０により、人がセレクタ５３４をウェイト５３０のスタックに沿って所望の位置に挿入または引き出しすることができる。他の実施形態において、セレクタ５８２は他の構成を有することができる。
【００８１】
図示の実施例において、フォーク６０４は、スロット６５０および１つ以上の凸部６５２によってプラットフォーム６０８に移動可能に連結される。スロット６５０は、水平面内で軸５８０に実質的に直交する軸に沿って延在する細長スロットである。スロット６５０は凸部６５２を受容する。
【００８２】
凸部６５２は、プラットフォーム６０８からスロットを貫いて延在する構造体を具える。凸部６５２は、フォーク６０４が係合位置と離脱位置の間を動くのにつれて、スロット６５０内にスライドするように構成される。凸部６５２は、スロット６５２と協働して、フォーク６０４の動きをガイドする。
【００８３】
図示の実施例において、凸部６５２は、スロット６５０よりも大きいか広いヘッド６５６（図１７に示す）を有しており、フォームを捕捉しプラットフォーム６０８に対してフォーク６０４を保持する。一実施形態によれば、凸部６５２は、プラットフォーム６０８に固定されスロット６５０を貫いて延びるねじ、ボルトまたはリベット等のファスナを具える。他の実施形態において、凸部６５２は、プラットフォーム６０８または他の構造体と一体に形成されてもよい。さらに他の実施形態において、他の構成を用いて、フォーク６０４の移動をガイドし、プラットフォーム６０８に対してフォーク６０４を保持することができる。例えば、他の実施形態において、プラットフォーム６０８はスロット、チャネルまたは溝を含むことができ、フォーク６０４はスロット、チャネルまたは溝に受容される凸部を含む。
【００８４】
図１６〜１９は、係合位置と離脱位置の間でのフォーク６０４の作動を示す。図１６および１７は、フォーク６０４が矢印６６０で示される方向に移動して突起６３６、６３８を空隙５７０から引き出し、ステム５８０を開口６４２から引き出した離脱位置にあるフォーク６０４を示す。結果として、セレクタ５８２は、整列したチャネル５６７内でステム５８０に沿ってスライドし、フォーク６０４を、間隙５９２の所望の一つに向かい合い、且つ持ち上げることが意図される、上にあるウェイト５３０の所望の個数に対応したスペーサ５９０の一つに向かい合って配置する。
【００８５】
図１８および１９に示すように、セレクタ５８２が開口５６４内でこれに沿って、所望のウェイト５３０に隣接しこれの下方にある所望の位置まで移動されると、フォーク６０４は、矢印６６２によって示される方向にある軸５８３に直交する方向に、図示の離脱位置から係合位置まで移動することができる。結果として、開口６４２はスペーサ５９０の一つを受容する。突起６３６、６３８は、少なくとも部分的に間隙５９２に受容され、同時に空隙５７０内に突出して、空隙５７２を与えるウェイト５３０をステム５８０に連結する。
【００８６】
図２０に示すように、リフト１３５（図２に示す）の引き上げによるステム５８０のその後の持ち上げにより、セレクタ５８２および上にあるウェイト５３０も持ち上げられる。矢印６６８により示される方向へのこのような持ち上げの間に、スリーブ６０６はステム開口５６２から引き出される。異なる数のウェイト５３０を選択するには、人は、現在持ち上げられているウェイトを、ウェイトが互いの上に置かれている静止位置に下げ、図１６〜１９に示されるプロセスを繰り返すだけでよい。全体として、メインウェイト選択システム５３４は、片手で、且つ潜在的にセレクタ５８２を紛失したり置き間違えたりする可能性のある、ウェイト５３０からのセレクタ５８２の完全な分離をすることなく、迅速且つ比較的単純はウェイトの選択を容易にする。
【００８７】
図示および説明を簡単にするために図には示していないが、他の実施形態において、メインウェイト選択システム５３４は、上記した他の特徴を含むことができる。例えば、システム５３４は、整列インジケータ２０８（図８に示す）または整列インジケータ３０８（図１３に示す）のいずれか等の整列インジケータを付加的に含むことができる。整列インジケータ２０８とともに、スリーブ６０６またはプラットフォーム６０８は、隣接するウェイト５３０の間に突出するよう構成され、セレクタ５８２がウェイト５３０を横断する際に触感または可聴信号を与えるために用いられる、弾性的に付勢された凸部を含み得る。整列インジケータ３０８とともに、スリーブ６００は、セレクタ５８２がステム５８０に沿って動くにつれて間隙５９２を係合するよう構成された、弾性的に付勢された凸部を含み得る。かかる整列インジケータ３０８も、ウェイト５３０を横切りウェイト５３０および空隙５７０に対して整列された異なる位置の間でのセレクタ５８２の移動を示す可聴または触感（感触）信号を与える。
【００８８】
エクササイズ装置５２０はウェイト５３０を含むように図示されているが、他の実施形態において、ウェイト５３０は、上記の追加ウェイト１３６および追加ウェイト選択システム１３８をさらに用いることを容易とするように構成することもできる。かかる実施形態において、ウェイト５３０は、図４に示す開口１６２をさらに含み得る。他の実施形態において、エクササイズ装置５２０は、他の追加ウェイト選択システムおよび他の追加ウェイトとともに用いられるよう構成することもできる。他の実施形態において、セレクタ５８２およびウェイト５３０は他の構成を有することができる。
【００８９】
図２１〜２３は、エクササイズ装置２０（図１に示す）の他の実施形態であるエクササイズ装置１０２０を示す。デバイス２０と同様、デバイス１０２０はケーブルシステム２４およびエクササイズインターフェイス２６も含む（これら双方は共にデバイス２０に関連して図示および説明されている）。デバイス２０とは異なり、デバイス１０２０はウェイトシステム２２の特定の実施形態であるウェイトシステム１０２２を含む。ウェイトシステム１０２２は、ベース１２６、アッパーガイド１２７、ガイドロッド１２８およびウェイトリフト１３５を含むという点において、ウェイトシステム１２２と同様であり、これらのそれぞれはウェイトシステム１２２を参照して上で図示し説明した。ウェイトシステム１２２と異なり、ウェイトシステム１０２２は、ウェイト１３０とメインウェイト選択システム５３４の代わりにウェイト１０３０およびメインウェイト選択システム１０３４を含む。
【００９０】
ウェイト１０３０は、持ち上げられ、エクササイズに機械的抵抗を与えるよう構成され、予め定められた重量総量を有する構造体を具える。図示の特定の実施例において、ウェイト１０３０はそれぞれ一種以上の金属からなる中実または中空のプレートを具える。他の実施形態において、ウェイト１０３０は、他の材料を含んでもよく、砂、水または他の材料を封入した材料を含んでもよい。
【００９１】
ウェイト１０３０は互いに積み重ねられて、特定のウェイト１０３０が持ち上げられるのにつれて、この特定のウェイト１０３０の上に積まれた他のウェイト１０３０も持ち上げられる。図２１は、３つの連続して積み重ねられたウェイト１０３０を示している。図２１に示すように、各ウェイト１０３０はガイドロッド開口１６０（図４に示し、図４を参照して説明した）、ステム開口１０６２およびアクセスチャネル１０６６を含む。ステム開口１０６２は、ウェイト選択システム１０３４のステム１０８０をスライド可能に受容するよう構成された、略中心に位置する開口貫通ウェイト５１００を具える。
【００９２】
アクセスチャネル１０６６は各ウェイト１０３０の外周または縁からステム開口１６０へと内側に延在する開口または通路を具える。アクセスチャネル１０６６は長手軸線に対し略垂直に延在するが、この長手軸線に沿ってウェイト１０３０は積み重ねられ、且つこの長手軸線に沿って各開口１６０（図４に示す）が延在するかまたは整列される。アクセスチャネル１０６６は、人によるアクセスおよび操作のため、メインウェイト選択システム１０３４（セレクタ１０８２）の部分がウェイト１０３０の正面の位置に向かって突出するのを可能とするよう構成されている。アクセスチャネル１０６６は、メインウェイト選択システム１０３４の部分の動きをさらに可能にする。図示の実施例において、各チャネル１０６６は、開口１０６２に隣接し且つシステム１０３４のステム１０８０に隣接する各ウェイト１０３０の下側に形成される。
【００９３】
メインウェイト選択システム１０３４は、エクササイズ中に持ち上げるための１個またはそれ以上のウェイト１０３０を人が選択するのを可能にするよう構成された機構を具える。メインウェイト選択システム１０３４はセレクタステム１０８０およびメインセレクタ１０８２を含む。セレクタステム１０８０はウェイトリフト１３５（図に示す）に連結し、且つウェイト１０３０のステム開口１０６２内に移動可能に配置された細長シャフト、バー、ロッドまたは他の構造体を具え、これによりステム１０８０がウェイトリフト１３５によって上昇または下降される。ステム１０８０は軸１０８３（図２２に示す）に沿って延在し、軸１０８３に沿ってメインセレクタ１０８２をスライド可能に支持するよう構成されている。セレクタステム１０８０はこのように構成されているため、セレクタ１０８２は軸１０８３に沿った複数の位置上の選択された位置にあるステム１０８０に対して保持され、これによりセレクタ１０８２は、ウェイト１０３０を係合した際に、ウェイトリフト１３５によってステム１０８０の動作とともに移動する。
【００９４】
図２１に示すとおり、ステム１０８０は、スペーサ１０９０により互いに結合および離間されている複数のセグメント１０８８を含む。セグメント１０８８およびスペーサ１０９０は交互に軸１０８３に沿って延在する。それぞれのセグメント１０８８は、セレクタ１０８２が、第１角度位置と第２角度位置との間を、軸１０８３の周囲を回転することができるよう成形されているが、第１角度位置においてセレクタ１０８２はセグメント１０８８からの実質的な干渉を受けることなく軸１０８３に沿って移動またはスライドすることができ、第２角度位置においてセレクタ１０８２は軸１０８３に沿った２個の連続するセグメント１０８８の間に保持される。特に、セグメント１０８８は、セレクタ１０８２が第１角度位置にある際にそれぞれのセグメント１０８８がセレクタ１０８２内の開口を通過できるよう、且つセレクタ１０８２が第２角度位置にある際にセレクタ１０８２内の同一開口を通過しないよう遮断されるよう構成された断面形状を有する。図示した実施例において、セグメント１０８８のそれぞれは非円形または非円環の断面形状を有する。図示した特定の実施例において、セグメント１０８８のそれぞれはメインセレクタ１０８２を貫通する開口の断面形状に対応する非円形断面形状を有する。図示した実施例において、それぞれのセグメント１０８８は一般的に楕円形または長方形等の細長の断面を有する。他の実施形態において、セグメント１０８８は他の断面形状を有することができる。
【００９５】
それぞれのセグメント１０８８は、特定のセグメント１０８８から水平方向に向かい合って延在する個々のウェイト１０３０の高さまたは厚さと実質的に等しい高さまたは厚さをさらに有する。結果として、セレクタ１０８２は、連続ウェイト１０３０の間に挟まれた際に、間隙１０９２の反対に維持される。それぞれのウェイト１０３０が実質的に同じ厚さを有する、図示した特定の実施例において、それぞれのセグメント１０８８もまた実質的に同じ厚さを有する。異なるウェイト１０３０が異なる厚さを有することができる他の実施形態において、各セグメント１０８８が特定のセグメント１０８８から水平方向に向かい合った特定のウェイト１０３０の厚さと実質的に等しい厚さを有する限りにおいて、セグメント１０８８は異なる厚さを有することができる。
【００９６】
スペーサ１０９０はセグメント１０８８の間を延在してセグメント１０８８を分離するステム１０８０の部分を具える。個々のスペーサ１０９０は、セレクタ１０８２の一部が連続セグメント１０８８の間に捕捉または受容されるような高さを有する。それぞれのスペーサ１０９０は上にあるセグメント１０８８を支持するよう構成され、これによりセグメントの頂部は、隣接するウェイト１０３０の頂部と実質的に水平方向に同一平面または同一範囲である。一実施形態によれば、スペーサ１０９０はそれぞれ、対応するウェイト１０３０の高さと実質的に等しい高さを有する。
【００９７】
セレクタ１０８２は、セレクタ１０８２がステム１０８０を関連するウェイト１０３０に連結する第１位置と、関連するウェイト１０３０がステム１０８０から離脱する第２位置との間で回転するよう構成された、各ウェイト１０３０と関連する機構を具える。図示した特定の実施例において、セレクタ１０８２は軸１０８３の周りを回転または旋回する。各セレクタ１０８２は係合プレート１２０４およびハンドル１２０６を含む。
【００９８】
開口１２１２は、プレート１２０４を貫通する非円形の開口である。開口１２１２は、セレクタ１０８２が図２２に示す第1の角位置または方向にある際に、開口１２１２によりステム１０８０がこれを貫通し、ステム１０８０が開口１０６２を通り、これに沿って取り除くことができるように構成される。開口１２１２は、セレクタ１０８２が第２の角位置または方向にある際に、連続セグメント１０８８の間にプレート１２０４が捕捉され、セレクタ１０８２がステム１０８０に沿って保持されるようにさらに構成される。図示の特定の実施例において、開口１２１２はセグメント１０８８の断面形状に対応する形状を有する。図示の特定の実施例において、開口１２１２は楕円形または長方形等の細長形状を有する。他の実施形態において、開口１２１２は異なる形状を有することができ、セグメント１０８８の形状から区別される形状を有することができる。
【００９９】
ハンドル１２０６は、プレート１２０４からウェイト１０３０のアクセスチャネル１０６６を貫いて延びる延長部を具える。ハンドル１２０６は、人より手動で掴むように構成されており、これによって、図２２に示すように開口１２１２がステム１０８０のセグメント１０８８と整列している第１の角位置と、図２３に示すように開口１２１２がステム１０８０のセグメント１０８２と整列していない第２の角位置との間で、人が開口１２１２を回転できるようにする。
【０１００】
図示の特定の実施例において、ハンドル１２０６の大部分がプレート２０４と単独単一体の一部として一体に形成されており、これによって加工および組み立てコストを削減している。他の実施形態において、ハンドル１２０６は他の形状および構成を有することができる。さらに他の実施形態において、ハンドル１２０６は、第１および第２の角位置の間でハンドル１２０６および開口１２１２を選択的に回転するよう構成された電動アクチュエータに連結することができる。一実施形態において、エクササイズ装置１０２０は、アクチュエータを制御するためおよびセレクタ１０８２を遠隔制御するために、有線または無線リモートコントロール等のリモートコントロールを含むことができる。
【０１０１】
図２４および２５はエクササイズ装置２０（図１に示す）の他の実施形態であるエクササイズ装置１２２０を示す。装置２０と同様に、装置１２２０もケーブルシステム２４およびエクササイズインターフェイス２６（これら双方は装置２０に関連して説明されている）を含む。装置２０と異なり、装置１２２０はウェイトシステム２２の具体的実施形態であるウェイトシステム１２２２を含む。ウェイトシステム１２２２は、ベース１２６、アッパーガイド１２７、ガイドロッド１２８およびウェイトリフト１３５を含むという点において、ウェイトシステム１２２と同様であり、これらのそれぞれはウェイトシステム１２２を参照して上で図示し説明した。ウェイトシステム１２２と異なり、ウェイトシステム１２２２は、ウェイト１３０とメインウェイト選択システム１３４の代わりにそれぞれウェイト１２３０およびメインウェイト選択システム１２３４を含む。
【０１０２】
ウェイト１２３０は、持ち上げられ、エクササイズに機械的抵抗を与えるよう構成され、予め定められた重量総量を有する構造体を具える。図示の特定の実施例において、ウェイト１２３０はそれぞれ一種以上の金属からなる中実または中空のプレートを具える。他の実施形態において、ウェイト１２３０は、他の材料を含んでもよく、砂、水または他の材料を封入した材料を含んでもよい。
【０１０３】
ウェイト１２３０は互いに積み重ねられて、特定のウェイト１２３０が持ち上げられるのにつれて、この特定のウェイト１２３０の上に積まれた他のウェイト１２３０も持ち上げられる。図示はしていないが、それぞれのウェイト１２３０はガイドロッド開口１６０（図４に示し、図４を参照して説明した）を含む。さらに各ウェイト１２３０は、ステム開口５６２およびアクセスチャネル１２６６を含む。ステム開口１２６２は、ウェイト選択システム１２３４のステム１２８０をスライド可能に受容するよう構成された、略中心に位置する開口貫通ウェイト１２３０を具える。
【０１０４】
アクセスチャネル１２６６は各ウェイト１２３０の外周または縁からステム開口１２６２へと内側に延在する開口または通路を具える。アクセスチャネル１２６６はＬ字状構造を有しており、長手軸線に対し略垂直に延在するが、この長手軸線に沿ってウェイト１２３０は積み重ねられる。アクセスチャネル１２６６は、人によるアクセスおよび操作のため、メインウェイト選択システム１２３４（セレクタ１２８２）の部分がウェイト１２３０の正面の位置に向かって突出するのを可能とするよう構成されている。アクセスチャネル１２６６は、メインウェイト選択システム１０３４の部分の動きをさらに可能にする。図示の実施例において、各チャネル１０６６は、開口１２６２に隣接し且つシステム１２３４のステム１２８０に隣接する各ウェイト１２３０の下側に形成される。他の実施形態において、アクセスチャネル１２６６は、セレクタ１２８２が特定のウェイト１２３０に取り付けられた際に、関連するウェイト１２３０の上側に代替的に形成される。
【０１０５】
メインウェイト選択システム１２３４は、エクササイズ中に持ち上げるための１個またはそれ以上のウェイト１２３０を人が選択するのを可能にするよう構成された機構を具える。メインウェイト選択システム１２３４はセレクタステム１２８０（図２１〜２３を参照して上で説明した）およびメインセレクタ１２８２を含む。
【０１０６】
セレクタ１２８２は、各ウェイト１２３０に関連し、セレクタ１２８２がステム１０８０を関連するウェイト１２３０に連結する第１の位置と、関連するウェイト１２３０がステム１０８０から離脱する第２の位置との間で回転または旋回するよう構成された機構を具える。図示の実施例において、セレクタ１０８２は、ステム１０８０の軸１０８３に平行且つこれから離間した軸である軸１２８３の周りを回転または旋回する。図示の実施例において、各セレクタ１２８２は、アクセスチャネル１２６６内で関連するウェイト１２３０に旋回可能にピン止めされる。セレクタ１２８２のそれぞれは、係合プレート１３０４およびハンドル１３０６を含む。
【０１０７】
係合プレート１３０４は、ノッチまたは開口１３１２を含む構造を具える。開口１３１２は、セレクタ１２８２が図２４に示す第１角位置または方向にある場合に、開口１３１２がステム１０８０から引き出され、ステム１０８０が関連するウェイト１２３０を通過し、関連するウェイト１２３０がステム１０８０に連結しないように構成される。開口１３１２は、セレクタ１２８２が図２５に示す第２角位置または方向にある場合に、プレート１３０４が連続セグメント１２８８の間に捕捉されて、セレクタ１２８２がステム１０８０に沿って保持されるようさらに構成される。図示の特定の実施例において、開口１３１２は、長方形状またはＵ字状である。他の実施形態において、開口１３１２は他の形状を取ることができる。
【０１０８】
ハンドル１３０６は、プレート１３０４からウェイト１２３０のアクセスチャネル１２６６を貫いて延びる延長部を具える。ハンドル１３０６は、人より手動で掴むように構成されており、これによって、図２４に示すように開口１３１２がステム１０８０を少なくとも部分的に受容する第１の角位置と、図２５に示すように開口１３１２がステム１０８０から引き出された第２の角位置との間で、人が開口１３１２を回転できるようにする。
【０１０９】
図示の特定の実施例において、ハンドル１３０６の大部分がプレート１３０４と単独単一体の一部として一体に形成されており、これによって加工および組み立てコストを削減している。他の実施形態において、ハンドル１３０６は他の形状および構成を有することができる。さらに他の実施形態において、ハンドル１３０６は、第１および第２の角位置の間でハンドル１３０６および開口１３１２を選択的に回転するよう構成された電動アクチュエータに連結することができる。一実施形態において、エクササイズ装置１２２０は、アクチュエータを制御するためおよびセレクタ１２８２を遠隔制御するために、有線または無線リモートコントロール等のリモートコントロールを含むことができる。
【０１１０】
図示および説明を簡単にするために図には示していないが、他の実施形態において、メインウェイト選択システム１０３４および１２３４は、上記した他の特徴を含むことができる。例えば、システム５３４は、整列インジケータ２０８（図８に示す）または整列インジケータ３０８（図１３に示す）のいずれか等の整列インジケータを付加的に含むことができる。整列インジケータ２０８とともに、スリーブ６０６またはプラットフォーム６０８は、隣接するウェイト５３０の間に突出するよう構成され、セレクタ５８２がウェイト５３０を横断する際に触感または可聴信号を与えるために用いられる、弾性的に付勢された凸部を含み得る。整列インジケータ３０８とともに、スリーブ６００は、セレクタ５８２がステム５８０に沿って動くにつれて間隙５９２を係合するよう構成された、弾性的に付勢された凸部を含み得る。かかる整列インジケータ３０８も、ウェイト５３０を横切りウェイト５３０および空隙５７０に対して整列された異なる位置の間でのセレクタ５８２の移動を示す可聴または触感（感触）信号を与える。
【０１１１】
エクササイズ装置５２０はウェイト５３０を含むように図示されているが、他の実施形態において、ウェイト５３０は、上記の追加ウェイト１３６および追加ウェイト選択システム１３８をさらに用いることを容易とするように構成することもできる。かかる実施形態において、ウェイト５３０は、図４に示す開口１６２をさらに含み得る。他の実施形態において、エクササイズ装置５２０は、他の追加ウェイト選択システムおよび他の追加ウェイトとともに用いられるよう構成することもできる。他の実施形態において、セレクタ５８２およびウェイト５３０は他の構成を有することができる。
【０１１２】
図２６〜２９は、エクササイズ装置２０（図１に示す）の他の実施形態であるエクササイズ装置１４２０を示す。デバイス２０と同様、デバイス１４２０はケーブルシステム２４およびエクササイズインターフェイス２６も含む（これら双方は共にデバイス２０に関連して図示および説明されている）。デバイス２０とは異なり、デバイス１４２０はウェイトシステム２２の特定の実施形態であるウェイトシステム１４２２を含む。図２６はエクササイズ装置１４２０およびウェイトシステム１４２２の斜視図である。以下に説明するとおり、ウェイトシステム１４２２は比較的低コストなコンポーネント配置となっており、エクササイズルーチンのための所望のウェイト量を素早く且つ容易に選択することを可能にする。
【０１１３】
ウェイトシステム１４２２は、全体としてベース１４２６、アッパーガイド１２７（システム１２０に関連して上述した）、ガイドロッド１２８（装置１２０に関連して上述した）、ウェイト１４３０、メインウェイト選択システム１４３４、ウェイトリフト１３５（システム１２０に関連して上述した）、追加ウェイト１４３６Ａ、１４３６Ｂ（追加ウェイト１４３６として総称した）および追加ウェイト選択システム１４３８を含む。ベース１４２６は、フット１４４２、ライザ１４４４およびドック１４４８を含む。フット１４４２はライザ１４４４およびドック１４４８を含む。フット１４４２はプレートとして図示されているが、他の実施形態においては、フット１４４２が他の構成を有していてもよい。
【０１１４】
ライザ１４４４は、ガイドロッド１２８を支持するよう構成されたフット１４４２から延びる構造体を具える。ライザ１４４４はウェイト１４７０の下側にさらに係合し、ウェイト１４３０のスタックを上げる。
【０１１５】
ドック１４４８は、追加ウェイト１４３６の一部を受容し、支持し、ガイドするよう構成された１つ以上の部材を具える。ドック１４４９は、フット１４４２から延び、メインウェイト選択システム１４３８のステム５８０の下部を着脱可能に受容するよう構成される。ドック１４４８および１４４９は別個の管状構造体として図示されているが、他の実施形態において、かかるドックは他の構成を有することができる。
【０１１６】
ウェイト１４３０は、持ち上げられ、エクササイズに機械的抵抗を与えるよう構成され、予め定められた重量総量を有する構造体を具える。図示の特定の実施例において、ウェイト１４３０はそれぞれ一種以上の金属からなる中実または中空のプレートを具える。他の実施形態において、ウェイト１４３０は、他の材料を含んでもよく、砂、水または他の材料を封入した材料を含んでもよい。ウェイト１４３０は互いに積み重ねられて、特定のウェイト１４３０が持ち上げられるのにつれて、この特定のウェイト１４３０の上に積まれた他のウェイト１４３０も持ち上げられる。ウェイト１４３０はウェイト５３０（図１５に示した）と同様である。図２７Ａに示すように、各ウェイト１４３０はガイドロッド開口５６０（図１５に示す）、追加ウェイトアパーチャ１４６２、セレクタアパーチャ１４６４およびアクセスチャネル１０６６を含む。ガイドロッド開口１６０は、ウェイト１３０を貫通して延在する穿孔通路を具える。ウェイト１３０の開口１４６０はさらに、ウェイト１４３０が互いに積み重ねられる際、互いに整列するよう構成されている。開口１６０はガイドロッド１２８を受容するよう構成されている。
【０１１７】
追加ウェイトアパーチャ１４６２は穿孔または開口を具え、それらを貫通して追加ウェイト１４３６は延在する。アパーチャ１４６２は、ウェイト１４３０が互いに積み重ねられる際に互いに整列するよう構成されている。追加ウェイトアパーチャ１４６２は一般的に、追加ウェイト１４３６が上昇または下降される際の追加ウェイト１４３６の上方または下方移動を意図する。
【０１１８】
追加ウェイトアパーチャ１４６２は別個のアパーチャを具えるように図示されているが、他の実施形態においては、かかるアパーチャ１４６２は互いに連結されてもよく、またはセレクタアパーチャ１４６４と連通していてもよい。ウェイトシステム１４２２がこのような追加ウェイト１４３６をより多くあるいはより少なく含む実施形態において、ウェイト１４３０はそれぞれ対応するこのような追加ウェイトアパーチャ１４６２をより多くあるいはより少なく含むこともできる。追加ウェイト１４３６がウェイト１４３０の外周の外またはそれを越えて複数のウェイト１４３０を越えて延在する特定の実施形態において、追加ウェイトアパーチャ１４６２は省略されているか、または代替的に、各ウェイト１４３０の周辺に沿って内側に延在するカットアウトを具えることができる。
【０１１９】
セレクタアパーチャ１４６４は、開口１４６２からウェイト１４３０を貫通して延在し、且つメインウェイト選択システム１４３４の部分を受容するよう構成されている開口を具える。セレクタアパーチャ１４６４はウェイト１４３０が互いに積み重ねられると互いに整列するよう構成されている。以下に詳細に説明するが、アパーチャ１４６４はウェイト選択システム１４３４の一部がアパーチャ１４６４と整列する際、ウェイト選択システム１４３４のその一部がウェイト１４３０に沿って且つそれを越えてアパーチャ１４６４を貫通して移動することができるよう構成されている。ウェイト選択システム１４３４のこの部分がアパーチャ１４６４の整列から外れるように移動する際、ウェイト選択システム１４３４のその部分は連続ウェイト１４３０の間に形成された空隙内に延在し、これによりウェイト選択システム１４３４のその部分より上にあるすべてのウェイト１４３０を持ち上げることが可能である。
【０１２０】
アクセスチャネル１４６６は各ウェイト１４３０の外周または縁からセレクタアパーチャ１４６４へと内側に延在する開口または通路を具える。アクセスチャネル１４６６は長手軸線に対し略垂直に延在するが、この長手軸線に沿ってウェイト１４３０は積み重ねられ、且つこの長手軸線に沿って各開口１４６０が延在するかまたは整列される。アクセスチャネル１４６６は、人によるアクセスおよび操作のため、メインウェイト選択システム１４３４の部分がウェイト１４３４の正面の位置に向かってセレクタアパーチャ１４６４から突出するのを可能とするよう構成されている。アクセスチャネル１４６６は互いに整列しており、人がメインウェイト選択システム１４３４の部分を握り、且つ個別アクセスチャネル１４６６によって形成された連続垂直チャネル１４６７を貫通し且つそれに沿ってメインウェイト選択システム１４３４を垂直に上方および下方へ移動することを可能にする。結果として、持ち上げられるべきウェイト１４３０の総数またはウェイト総量を選択するために、アクセスチャネル１４６６によって、人がメインウェイト選択システム１４３４をウェイト１４３０のスタックに沿って複数の有効位置のひとつに向かって移動することが可能となる。
【０１２１】
空隙１４７０は、セレクタ１４８２がシステム１４３４のステム５８０（以下で説明する）と連結係合するよう配置された際に、メインウェイト選択システム１４３４のセレクタ５８２（以下で説明する）を受容するよう構成された空洞、凹部、窪みまたは他の開口を具える。図示の実施例において、空隙１４７０は、セレクタアパーチャ１４６４に隣接し、システム５３４のステム５８０に隣接する各ウェイト１４３０の上または下に形成される。図示の実施例において、空隙１４７０はステム５８０の反対側に延在しており、セレクタ１４８２によるステム５８０の反対側との係合を容易にしている。図示の実施例において、空隙１４７０は略長方形である。他の実施形態において、空隙１４７０は、代替的に各ウェイト１４３０の上側に形成されてもよく、異なる程度にステム５８０に隣接して延在してもよく、他の形状を有していてもよい。空隙１４７０は単一の連続した空隙として図示されているが、他の実施形態において、空隙１４７０は、セレクタ１４８２の一部を受容する明確に離間した部分を含むこともできる。空隙１４７０は、ウェイト１４３０の一部として一体的に形成されており、部品の数を減らしシステム１４２２を単純にしているが、他の実施形態において、空隙１４７０は代替的に連続ウェイト１４３０の間に位置し、且つ連続ウェイト５３０の対向面を離間させるスペーサにより形成することができる。
【０１２２】
メインウェイト選択システム１４３４は、エクササイズ中に持ち上げるための１個またはそれ以上のウェイト５３０を人が選択するのを可能にするよう構成された機構を具える。メインウェイト選択システム１４３４はセレクタステム１４８０およびメインセレクタ１４８２を含む。
【０１２３】
セレクタステム１４８０は実質的にセレクタステム５８０と類似している。図２６に示すとおり、ステム１４８０は互いに結合するとともにスペーサ１４９０により互いから離間するセグメント１４８８を含む。
【０１２４】
セグメント１４８８およびスペーサ１４９０は交互に軸４８３に沿って延在する。それぞれのセグメント１４８８は、セレクタ１４８２がステム１４８０に沿って垂直に移動するよう形成されている。図示した実施例において、ステム１４８０は製造コストと複雑性を低減する円形断面を有する。他の実施態様において、ステム１４８０は、他の断面を有することができる。
【０１２５】
それぞれのセグメント１４８８は、特定のセグメント１４８８から水平方向に向かい合って延在する個々のウェイト１４３０の高さまたは厚さと実質的に等しい高さまたは厚さをさらに有する。結果として、スペーサ１４９０によって提供された間隙１４９２は、ウェイト１４３０の間の空隙１４７０（から水平方向に向かい合って）実質的に垂直に整列されている。それぞれのウェイト１４３０が実質的に同じ厚さを有する、図示した特定の実施例において、それぞれのセグメント１４８８もまた実質的に同じ厚さを有する。異なるウェイト１４３０が異なる厚さを有することができる他の実施形態において、特定のセグメント１４８８から水平方向に向かい合った特定のウェイト１４３０の厚さと実質的に等しい厚さを有する場合、セグメント１４８８は異なる厚さを有することができる。
【０１２６】
スペーサ１４９０はセグメント１４８８の間を延在してセグメント１４８８を分離するステム１４８０の部分を具える。個々のスペーサ１４９０は、セレクタ１４８２の一部が連続セグメント１４８８の間に捕捉または受容されるような高さを有する。それぞれのスペーサ１４９０は上にあるセグメント１４８８を支持するよう構成され、これによりセグメントの上面は対応する空隙１４７０（図２７Ａに示す）の前と実質的には水平に共面または同範囲である。一実施形態によれば、スペーサ１４９０はそれぞれ、対応する空隙１４７０（図２７Ａに示す）の高さと実質的に等しい高さを有する。スペーサ１４９０はセレクタ１４８２が第１および第２位置の間をスライドするのを可能にする。スペーサ１４９０はそれぞれセグメント１４８８の断面形状より小さい断面形状寸法を有する。
【０１２７】
セレクタ１４８２は、チャネル１４６７に沿って且つ少なくとも部分的にチャネル１４６７内で、選択された空隙１４７０の向かいの複数の選択可能位置のうちの一つの間を移動し、且つ引出し位置から、セレクタ１４８２が空隙の間に延在し且つステム１４８０に相対して軸方向に保持される挿入位置へと移動されるよう構成された機構を具える。結果として、ウェイトリフト１３５がステム１４８０に持ち上げ力をかけてステム１４８０を上昇する際、セレクタ１４８２および上にあるウェイト１４３０の全てもまた上昇される。図示した特定の実施例において、セレクタ１４８２は挿入位置と引出し位置との間で回転するよう構成されている。
【０１２８】
図１７に示すとおり、セレクタ５８２はサポート１５００およびフォーク１５０２を含む。サポート１５００は、軸１４８３に直交する方向への移動のためにフォーク１５０２をスライド可能に支持しつつ、ステム１４８０に沿ってスライドするよう構成された構造体を具える。サポート１５００はスリーブ１５０６およびプラットフォーム１５０８を含む。スリーブ１５００はステム１４８０を受容し、ステム１４８０の周りに延びて、ステム１４８０に沿ってスライドする。一実施形態において、スリーブ１５０６は、スリーブ１５００の、ステム１４８０に沿ったスライド移動をさらに容易にする内部ベアリング構造（図示せず）を付加的に含むことができる。
【０１２９】
プラットフォーム１５０８は、スリーブ１５０６から突出し、整列された開口１４６７を横切ってフォーク１５０４の下にわたる。プラットフォーム１５０８は、軸１４８３およびステム１４８０に実質的に直交するフォーク１５０４の移動を移動可能に支持およびガイドするベースまたはデッキを提供する。プラットフォーム１５０８はフォーク１５０４の下にわたるように図示されているが、他の実施形態では、プラットフォーム１５０８は代替的にフォーク１５０４を越えて延在し、または少なくとも部分的にフォーク１５０４を含むことができる。
【０１３０】
フォーク１５０４は、図２７Ａに示す離脱位置と、図２７Ｂに示す離脱位置との間を軸１４８３に実質的に直交する軸に沿って作動可能または移動可能な構造体を含む。フォーク１５０４は突起１５３６、１５３８およびハンドル１５４０を含む。突起１５３６、１５３８は、中間開口またはスロット１５４２により分離された舌部または凸部を具える。突起１５３６、１５３８は、連続ウェイト１４３０の間で空隙１４７０内に受容されるような厚さを有する。同時に、開口１５２２は、ステム１４８０（図２６に示す）の連続するセグメント１４８８の間でスペーサ１４９０の一つの周りに延びるよう構成される。結果として、セレクタ１４８２は、選択された空隙１４７０内に挿入され、ステム１４８０と保持係合されてもよく、ステム１４８０の持ち上げは選択された空隙１４７０の上方にあるウェイト１４３０も持ち上げる。
【０１３１】
ハンドル１５４０は、突起１５３６および１５３８から延びる延長部を具える。ハンドル１５４０は、突起１５３６、１５３８からチャネル１５６７を通りこれを超えて延びるよう構成される。ハンドル１５３０により、人がセレクタ１４８２をウェイト１４３０のスタックに沿って所望の位置に挿入または引き出しすることができる。他の実施形態において、セレクタ１４８２は他の構成を有することができる。
【０１３２】
図示の実施例において、フォーク１５０４は、スロット１５５０および１つ以上の凸部１５５２によってプラットフォーム１５０８に移動可能に連結される。スロット１５５０は、水平面内で軸５８０に実質的に直交する軸に沿って延在する細長スロットである。スロット１５５０は凸部１５５２を受容する。
【０１３３】
凸部１５５２は、プラットフォーム１５０８からスロットを貫いて延在する構造体を具える。凸部１５５２は、フォーク１５０４が係合位置と離脱位置の間を動くのにつれて、スロット１５５０内にスライドするように構成される。凸部１５５２は、スロット１５５２と協働して、フォーク１５０４の動きをガイドする。
【０１３４】
フォーク６０４はスロット、チャネルまたは溝に受容される凸部を含む。
【０１３５】
図２７Ａ、２７Ｂは、係合位置と離脱位置の間でのフォーク１５０４の作動を示す。図２７Ｂは、フォーク１５０４が矢印１５６０で示される方向に移動して突起１５３６、１５３８を空隙１４７０から引き出し、ステム１４８０を開口６４２から引き出した離脱位置にあるフォーク１５０４を示す。結果として、セレクタ１４８２は、整列したチャネル１４６７内でステム１４８０に沿ってスライドし、フォーク１５０４を、間隙１５９２の所望の一つに向かい合い、且つ持ち上げることが意図される、上にあるウェイト１５３０の所望の個数に対応したスペーサ１４９０の一つに向かい合って配置する。
【０１３６】
図２７Ａに示すように、セレクタ１４８２が開口１４６４内でこれに沿って、所望のウェイト１４３０に隣接しこれの下方にある所望の位置まで移動されると、フォーク１５０４は、矢印１５６２によって示される方向にある軸５８９に直交する方向に、図示の離脱位置から係合位置まで移動することができる。結果として、開口１５４２はスペーサ１４９０の一つを受容する。突起１５３６、１５３８は、少なくとも部分的に間隙１４９２に受容され、同時に空隙１４７０内に突出して、空隙１４７２を与えるウェイト１４３０をステム１４８０に連結する。
【０１３７】
図示および説明を簡単にするために図には示していないが、他の実施形態において、メインウェイト選択システム１４３４は、上記した他の特徴を含むことができる。例えば、システム５３４は、整列インジケータ２０８（図８に示す）または整列インジケータ３０８（図１３に示す）のいずれか等の整列インジケータを付加的に含むことができる。整列インジケータ２０８とともに、スリーブ１５０６またはプラットフォーム１５０８は、隣接するウェイト１４３０の間に突出するよう構成され、セレクタ１４８２がウェイト１４３０を横断する際に触感または可聴信号を与えるために用いられる、弾性的に付勢された凸部を含み得る。整列インジケータ３０８とともに、スリーブ１５００は、セレクタ１４８２がステム１４８０に沿って動くにつれて間隙１４９２を係合するよう構成された、弾性的に付勢された凸部を含み得る。かかる整列インジケータ３０８も、ウェイト１４３０を横切りウェイト１４３０および空隙１４７０に対して整列された異なる位置の間でのセレクタ１４８２の移動を示す可聴または触感（感触）信号を与える。
【０１３８】
図２８Ａ−２８Ｃは追加ウェイト１４３６をより詳細に示す。図１０に示すように、追加ウェイト１４３６は、予め決まった重量の細長ロッドを具える。一実施形態によれば、ウェイト１４３６は、ウェイト１４３０の個々の重量総量と異なる個々の重量総量を有する。一実施形態において、ウェイト１４３０のそれぞれは１５ポンド（６．８ｋｇ）の重量を有し、一方追加ウェイト１４３６Ａと１４３６Ｂの双方は５ポンド（２．２７ｋｇ）の重量を有する。一実施形態において、ウェイト１４３６Ａは、ウェイト１３０の重量総量の半分の付加重量総量を有することができ、ウェイト１４３６Ｂは、ウェイト１４３０の重量総量の４分の１の重量総量を有することができる。例えば、一実施形態において、ウェイト１４３０のそれぞれは１０ポンド（４．５４ｋｇ）であり、一方、追加ウェイト１４３６Ａおよび１４３６Ｂはそれぞれ５ポンド（２．２７ｋｇ）および２．５ポンド（１．１４ｋｇ）である。さらに他の実施形態において、ウェイト１４３６はウェイト１４３０とは異なる他の重量増分を有することができる。
【０１３９】
追加ウェイト１４３６は、開口１４６２（図２７Ａに示す）を通りウェイト１４３０内に延び、複数のウェイト１４３０にわたって垂直に延びる。結果として、ウェイト１４３６は、ウェイトシステム１４２２の高さ、幅または長さを実質的に増加させない。ウェイト１４３６は、外観をより清潔でよりコンパクトとするために、部分的に隠れたままとする。図２６にさらに示されるように、ウェイト１４３６のそれぞれは、ドック１４４８内に収容される下端と、追加ウェイト選択システム１４３８の一部を受容するよう構成された溝またはチャネル１７３０を含む上端を有する。
【０１４０】
追加ウェイト選択システム１４３８は、人が、主としてメインウェイト１４３０により決まるウェイトの総量にウェイト１４３６の一方または双方を加えることを選択することを可能とする。図２６に示すように、システム１４３８は頂部１６４０およびセレクタ１６４２を含む。頂部１６４０はファスナ１６４８により天板１５７に取り付けられており、セレクタ１６４２がスライドできるようにしつつ、セレクタ１６４２を頂部１６４０と天板１５７の間に捕捉する。四角形に図示されているが、頂部１６４０は種々の形状および構成とすることができる。
【０１４１】
セレクタ１６４２は、ステム１８０の軸５８０に実質的に垂直な軸に沿って直線的に平行移動または回転し、追加ウェイト１３６を選択的に係合するように構成された部材を具える。セレクタ１６４２はプレート１６５２およびハンドル１６５４を含む。プレート１６５２はセレクタ１６４２の本体として機能する。プレート１６５２はスロット１６５８、キャッチ１６６０およびキャッチ１６６２を含む。スロット１６５８は、ファスナ１６４８を受容するよう構成された細長弧状開口貫通プレート１６５２を具える。スロット１６５８は、実質的に１４８０の軸５８０に実質的に垂直な軸１６５５に沿ったセレクタ１６４２の直線的平行移動またはスライド動作をガイドする。
【０１４２】
キャッチ１６６０および１６６２は、ウェイト１４３６の上側部よりも狭いプレート１６５２に形成された略水平なスロットまたはノッチを具えている。キャッチ１６６０および１６６２は互いに対して傾斜して位置しており、（１）セレクタ１６４２は第１の角位置（図２８Ａに示す）まで回転し、キャッチ１６６０およびキャッチ１６６２のいずれもが追加ウェイト１４３６と係合しておらず、（２）セレクタ１６４２が第２の角位置まで第１の角度量で回転し、キャッチ１６６０が追加ウェイト１４３６Ａを受容しこれと係合する一方で、キャッチ１６６０は追加ウェイト１４３６Ｂから分離したままであり（図２８Ｂに示す）、（３）セレクタ１６４２は、第３の角位置まで第２のより大きな角度量で回転し、キャッチ１６６０および１６６２の双方が追加ウェイト１４３６Ａおよび１４３６Ｂとそれぞれ係合する（図２８Ｃに示す）。追加ウェイト１４３６を係合することにより、セレクタ１６４２は、追加ウェイト１４３６を頂部１５７、ステム１４８０およびウェイトリフト１３５に連結して、追加ウェイト１４３６の一方または双方の重量を持ち上げられる総重量に加える。
【０１４３】
追加ウェイト選択システム１４３８が、２つの追加ウェイト１４３６を係合するための２つのキャッチ１６６０および１６６２を含むものとして図示しているが、他の実施形態において、ウェイトシステム１４２２は、より多くのまたはより少ない追加ウェイト１４３６を具えてもよい。同様に、追加ウェイト選択システム１４３８は、より多くのまたはより少ない追加ウェイトと選択的に係合するように構成することができ、その場合には、セレクタ１６４２は付加的なキャッチを含むことができ、異なる組の追加ウェイトが係合される付加的なまたはより少ない角位置を有することができる。さらに他の実施形態において、追加ウェイト１４３６および追加ウェイト選択システム１４３８を省略したり、他の構成としたりすることもできる。
【０１４４】
例示的実施形態を参照しつつ本開示を説明してきたが、当業者であれば、請求項の主題の精神および範囲から離れることなく、形態および詳細の点に変更を加えることができることを認識するであろう。例えば、種々の例示的実施形態が、１つ以上の特徴を含み、１つ以上の利益を与えるものとして説明されてきたが、説明された例示的実施形態または他の代替的実施形態において、説明した特徴を、互いに相互変更したり、代替的に互いを結合したりすることができる本開示の技術は比較的複雑であるため、技術における全ての変更が予見可能ではない。例示的実施形態を参照しつつ説明し、添付の特許請求の範囲に記載した本開示は、できるだけ広くなるよう明白に意図するものである。例えば、特に記載のない限り、単数の要素を挙げている請求項は、複数のこのような特定の要素を含むものである。
【図面の簡単な説明】
【０１４５】
【図１】例示的実施形態に従うウェイトシステムを含むエクササイズ装置の概略図である。
【図２】例示的実施形態に従う図１のウェイトシステムの他の実施形態の斜視図である。
【図３】例示的実施形態に従う図２のウェイトシステムの分解斜視図である。
【図４】例示的実施形態に従う図２のウェイトシステムのウェイトおよびスペーサーの分解斜視図である。
【図５】例示的実施形態に従う、ステムおよびセレクタを示す図２のウェイトシステムの部分的分解斜視図である。
【図６】例示的実施形態に従う図５のステムの一部の分解部分図である。
【図７】例示的実施形態に従う図２のシステムの部分分解上面斜視図であり、セレクタを整列した角位置で示す。
【図８】例示的実施形態に従う図２のシステムの位置インジケータを示す拡大部分斜視図である。
【図９】例示的実施形態に従う図２のシステムの底面斜視図であり、セレクタを非整列角位置で示す。
【図１０】例示的実施形態に従う図９のシステムの前面斜視図であり、図の明確化のために一部を省略した。
【図１０Ａ】例示的実施形態に従う、非整列ウェイト選択位置にある図９のシステムのセレクタの部分上面断面図である。
【図１０Ｂ】例示的実施形態に従う、整列可動位置にある図９のシステムのセレクタの部分上面断面図である。
【図１１】例示的実施形態に従う図２のシステムの部分分解上面斜視図であり、追加ウェイト選択システムを示す。
【図１１Ａ】例示的実施形態に従う図２のシステムの部分上面図であり、追加ウェイトが係合していない第１の状態で追加ウェイト選択システムを示す。
【図１１Ｂ】例示的実施形態に従う図２のシステムの部分上面図であり、追加ウェイトが係合している第２の状態で追加ウェイト選択システムを示す。
【図１１Ｃ】例示的実施形態に従う図２のシステムの部分上面図であり、複数の追加ウェイトが係合している第３状態で追加ウェイト選択システムを示す。
【図１１Ｄ】例示的実施形態に従う、追加ウェイト選択システムを第３状態としたままでウェイトを持ち上げている間の図２のシステムの上面斜視図である。
【図１２】例示的実施形態に従う、図１のウェイトシステムの他の実施形態の斜視図である。
【図１３】例示的実施形態に従う、図１２のウェイトシステムの断面図である。
【図１４】例示的実施形態に従う図２のシステム用のセレクタの他の実施形態の上面斜視図である。
【図１５】例示的実施形態に従う図１のエクササイズ装置の他の実施形態の部分上面斜視図である。
【図１６】例示的実施形態に従う第１状態のウェイトセレクタを示す図１５のシステムの部分上面平面図である。
【図１７】例示的実施形態に従う、線１７−１７に沿って得られる図１６のシステムの断面図である。
【図１８】例示的実施形態に従う、第２状態のウェイトセレクタを示す図１５のシステムの部分上面平面図である。
【図１９】例示的実施形態に従う、線１９−１９に沿って得られる図１８のシステムの断面図である。
【図２０】例示的実施形態に従う、ウェイトリフティング中の図１９のシステムの部分断面図である。
【図２１】例示的実施形態に従う、図１のエクササイズ装置の他の実施形態の底面斜視図である。
【図２２】例示的実施形態に従う、第１状態のウェイトセレクタを示す図２１のシステムの部分底面平面図である。
【図２３】例示的実施形態に従う、第２状態のウェイトセレクタを示す図２２のシステムの部分底面平面図である。
【図２４】例示的実施形態に従う、第１状態のウェイトセレクタを示す図１のエクササイズ装置の他の実施形態の部分底面平面図である。
【図２５】例示的実施形態に従う、第２状態のウェイトセレクタを示す図２４のシステムの部分底面平面図である。
【図２６】例示的実施形態に従う、図１のウェイトシステムの他の実施形態の上面斜視図である。
【図２７Ａ】例示的実施形態に従う、第１状態のメインウェイトセレクタを示す図２６のシステムの部分上面平面図である。
【図２７Ｂ】例示的実施形態に従う、第２状態のメインウェイトセレクタを示す図２６のシステムの部分上面平面図である。
【図２８Ａ】例示的実施形態に従う、追加ウェイトがいずれも係合していない、第１状態の追加ウェイト選択システムを示す図２６のシステムの部分上面平面図である。
【図２８Ｂ】例示的実施形態に従う、追加ウェイトが係合している、第２状態の追加ウェイト選択システムを示す図２６のシステムの部分上面平面図である。
【図２８Ｃ】例示的実施形態に従う、複数の追加ウェイトが係合している、第３状態の追加ウェイト選択システムを示す図２６のシステムの部分上面平面図である。
【図１】
0005432517.tif 000002
【図２】
0005432517.tif 000003
【図４】
0005432517.tif 000004
【図５】
0005432517.tif 000005
【図６】
0005432517.tif 000006
【図７】
0005432517.tif 000007
【図８】
0005432517.tif 000008
【図９】
0005432517.tif 000009
【図１０】
0005432517.tif 000010
【図１０Ａ】
0005432517.tif 000011
【図１０Ｂ】
0005432517.tif 000012
【図１１】
0005432517.tif 000013
【図１１Ａ】
0005432517.tif 000014
【図１１Ｂ】
0005432517.tif 000015
【図１１Ｃ】
0005432517.tif 000016
【図１１Ｄ】
0005432517.tif 000017
【図１２】
0005432517.tif 000018
【図１３】
0005432517.tif 000019
【図１４】
0005432517.tif 000020
【図１５】
0005432517.tif 000021
【図１６】
0005432517.tif 000022
【図１７】
0005432517.tif 000023
【図１８】
0005432517.tif 000024
【図１９】
0005432517.tif 000025
【図２０】
0005432517.tif 000026
【図２１】
0005432517.tif 000027
【図２２】
0005432517.tif 000028
【図２３】
0005432517.tif 000029
【図２４】
0005432517.tif 000030
【図２５】
0005432517.tif 000031
【図２６】
0005432517.tif 000032
【図２７Ａ】
0005432517.tif 000033
【図２７Ｂ】
0005432517.tif 000034
【図２８Ａ】
0005432517.tif 000035
【図２８Ｂ】
0005432517.tif 000036
【図２８Ｃ】
0005432517.tif 000037
【図３】
0005432517.tif 000038